(57)【特許請求の範囲】
【請求項１】
少なくとも１つのプレゼンテーションエレメントを識別する少なくとも１つのプレゼンテーションエレメント識別子を含む可触及び可感の識別保持デバイスを用いてプレゼンテーションを制御するプレゼンテーション制御システムであって、
前記プレゼンテーションエレメント、前記プレゼンテーションエレメントに関連付けられた少なくとも１つのプレゼンテーションエレメント識別子、前記プレゼンテーションエレメントに含まれる少なくとも１つの制御可能エレメント、前記制御可能エレメントに関連付けられた少なくとも１つの制御機能、及び前記制御可能エレメントに関連付けられた少なくとも１つの制御エレメント識別子を記憶するメモリと、
前記識別保持デバイスから、前記プレゼンテーションエレメント識別子及び前記制御エレメント識別子を感知するセンサと、
前記メモリを参照して、前記センサで感知された前記プレゼンテーションエレメント識別子によって識別された前記プレゼンテーションエレメントを選択し、前記センサで感知された前記制御エレメント識別子に基づいて前記選択されたプレゼンテーションエレメントに含まれる前記制御可能エレメントを識別し、識別された前記制御可能エレメント及び該制御可能エレメントに関連する制御機能を検索すると共に、検索された制御機能を実行するコントローラと、
前記選択されたプレゼンテーションエレメントを表示するディスプレイと、
を含む、プレゼンテーション制御システム。
【請求項２】
前記コントローラは、
前記プレゼンテーションエレメント及び前記プレゼンテーションエレメント識別子を関連付けて前記メモリに記憶し、前記制御可能エレメント、前記制御機能、及び前記制御エレメント識別子を関連付けて前記メモリに記憶すると共に、前記メモリを参照して、前記プレゼンテーションエレメント識別子から前記プレゼンテーションエレメントを識別し、前記制御エレメント識別子から前記制御可能エレメントを識別する識別コントローラと、
前記識別コントローラで識別された前記プレゼンテーションエレメントを選択し、前記識別コントローラで識別された前記制御可能エレメント及び該制御可能エレメントに関連する制御機能を検索し、検索された制御機能を実行するプレゼンテーションコントローラと、
を含む請求項１に記載のプレゼンテーション制御システム。
【請求項３】
前記メモリは、前記制御エレメント識別子と前記制御可能エレメントとをマッピングデータ構造に基づいて関連付ける請求項１または２に記載のプレゼンテーション制御システム。
【請求項４】
前記可触及び可感の識別保持デバイスが、少なくとも１つのニーモニックを更に含む請求項１から３までのいずれか１項に記載のプレゼンテーション制御システム。
【請求項５】
前記コントローラは、カスタム制御機能が望まれる場合には、前記検索された制御機能を変更し、変更された制御機能を実行する請求項１から４までのいずれか１項に記載のプレゼンテーション制御システム。
【請求項６】
請求項１から５までのいずれか１項に記載されたプレゼンテーション制御システムにおいてプレゼンテーションを制御するのに使用可能な物理的オブジェクトを生成する物理的オブジェクト生成システムであって、
少なくとも１つのプレゼンテーションエレメントを、該プレゼンテーションエレメントを識別するプレゼンテーションエレメント識別子に関連付けると共に、前記プレゼンテーションエレメントに含まれる少なくとも１つの制御可能エレメント及び該制御可能エレメントに関連付けられた少なくとも１つの制御機能を、該制御可能エレメントを識別する制御エレメント識別子に関連付けるコントローラと、
前記プレゼンテーションエレメント識別子と前記制御エレメント識別子とを、可触及び可感の識別保持デバイスに提供するジェネレータと、
を含む、物理的オブジェクト生成システム。
【請求項７】
前記プレゼンテーションエレメント、前記プレゼンテーションエレメント識別子、前記プレゼンテーションエレメントに含まれる少なくとも１つの制御可能エレメント、前記制御可能エレメントに関連付けられた少なくとも１つの制御機能、及び前記制御可能エレメントに関連付けられた少なくとも１つの制御エレメント識別子を記憶するメモリを更に含む請求項６に記載の物理的オブジェクト生成システム。
【請求項８】
前記コントローラは、少なくとも１つのプレゼンテーションエレメントを表すニーモニックを生成し、該ニーモニックを対応するプレゼンテーションエレメントを識別するプレゼンテーションエレメント識別子に関連付けると共に、少なくとも１つの制御可能エレメント又は該制御可能エレメントに関連付けられた少なくとも１つの制御機能を表すニーモニックを生成し、該ニーモニックを対応する制御可能エレメントを識別する制御エレメント識別子に関連付け、
前記ジェネレータは、互いに関連付けられた前記ニーモニック及び前記プレゼンテーションエレメント識別子と、互いに関連付けられた前記ニーモニック及び前記制御エレメント識別子と、を可触及び可感の識別保持デバイスに提供する、
請求項６または７に記載の物理的オブジェクト生成システム。
【発明の詳細な説明】
【０００１】
【発明の属する技術分野】
本発明は、プレゼンテーションのプレゼンテーションエレメントの生成及び表示に関する。
【０００２】
【従来の技術】
あり余るほどのソフトウェアが、ワードプロセッシング、データ管理及びプレゼンテーションオーサリングなどのタスクを達成することができる。特に、プレゼンテーションオーサリングソフトウェアによってユーザはデータを入力することができ、データは次に「スライド」に変えられる。次に、これらのスライドはプレゼンテーションの際にプレゼンテーションシステムを用いて観客に電子的に表示され、話者の口頭による説明を容易にし、これを補う。
【０００３】
これらのプレゼンテーションシステムにより、予め組み合わせて作られたプレゼンテーションを再生することができる。具体的に、これらのプレゼンテーションシステムによりユーザは、グラフィカルユーザインターフェース又はキーボード制御を介して、予め組み合わされて作られたプレゼンテーション内の前のスライド、次のスライド又は別のスライドにナビゲートしたり、関連性のない複数のスライドを循環させ、即ちスライドをとばして関連性がより高いプレゼンテーションのスライドを表示したりすることができる。
【０００４】
プレゼンテーションオーサリングソフトウェア及びプレゼンテーションシステムは連続的なプレゼンテーションに対しては良好に作動するが、ユーザがこの技術に対して十分に注意を向けることができない場合、この技術の使用に気がひけて使用が厄介になる可能性がある。具体的に、そして特に電子メディアを用いたプレゼンテーションの場合、プレゼンテーションの最中に多数の問題(breakdowns)が「ハイテク」会議設備において生じる。一般に、これらの問題は、ユーザがプレゼンテーションシステムのグラフィカルユーザインターフェースと対話するのが困難であることから生じる。これらの問題により観客は待たされ、プレゼンターは観客がじっと見守る中でプレゼンテーションシステムを操作しようと苦心する。このような問題は、プレゼンターがプレゼンテーションシステムをランしている汎用コンピュータのファイルシステム内を探索して所望のプレゼンテーションスライドを探し出すこと、プレゼンターがプレゼンテーションシステムの制御部、例えばマウス、キーボード又は赤外線ポインタを操作しようと苦心すること、プレゼンターが次のスライド又は前のスライドにナビゲートしたり、関連性のないスライドをとばしたり、プレゼンテーションが終わって「バックステージビュー」、即ちプレゼンテーションシステムのグラフィカルユーザインターフェースが観客にさらされるプレゼンテーションの終わりの気まずい段階に対処しなければならないことを含みうる。
【０００５】
これらの問題は、プレゼンターがプレゼンテーションシステムの操作につまずいていることを観客がわかっている、という事実によって一層ひどくなる。更に、プレゼンテーションシステムに精通していないプレゼンターはしばしば観客によって取り乱し、これによりプレゼンテーションシステムに対して注ぐことのできる注意力が低下してしまう。これは、複雑な機能及び／又はナビゲーション制御部を含むプレゼンテーションシステムによって更にひどくなる。具体的に、１つの大衆向きのプレゼンテーションシステムは、そのプレゼンテーションモードにおいて、グラフィカルユーザインターフェースを介してアクセスされる２９個の独自の機能を含むポップアップ／スライドアウトメニューを含む。これらの２９個の独自の機能は、プレゼンテーションを制御するためにプレゼンターが使用する５つの別個のウィンドウに分かれて編成されている。
【０００６】
従って、プレゼンターの環境により合っており、特に電子メディアを扱う際にユーザの注意力の大部分をプレゼンテーションシステムの制御以外のタスクに注ぐことができるプレゼンテーションシステムの制御システム及び方法が必要である。眺める資料や観客に示す次のディスプレイの選択は透明紙を取り出すのと同じくらい簡潔であるべきだが、同時に、利用可能であり予期されるプレゼンテーション及びマルチメディアシステムによって提供される動的な内容にも対処できるように十分に柔軟性があり、機能的及び動的であるべきである。
【０００７】
【発明が解決しようとする課題】
本発明は、電子プレゼンテーションの内容のビューを整理し、制御するための可触サポートを提供するプレゼンテーション制御システムと、このシステムでプレゼンテーションを制御するのに使用可能な物理的オブジェクトを生成する物理的オブジェクト生成システムとを提供する。
【０００８】
【課題を解決するための手段】
具体的には、識別保持デバイスがプレゼンテーション制御システムのセンサに提示される。プレゼンテーション制御システムは識別保持デバイスの識別をプレゼンテーションエレメントに関連付け、次にこのエレメントはディスプレイに提示される。
【０００９】
本発明は、ユーザが電子メディアを提示するのを助けるシステムを提供する。
【００１０】
本発明は、ユーザが可触の識別保持デバイスを介してプレゼンテーションシステムと対話することができるシステムを提供する。
【００１１】
本発明は、ユーザがプレゼンテーションエレメントを表すニーモニック（mnemonics)を含む可触の識別保持デバイスを生じることができるシステムを提供する。
【００１２】
本発明は、ユーザがプレゼンテーションとプレゼンテーション内の各プレゼンテーションエレメントに関連するニーモニックとを生成することができるシステムを更に提供する。
【００１３】
本発明のプレゼンテーション制御システムは、例えばプレゼンテーションの際に使用が容易でより優れたサポートを提供する機構をユーザに提供する。
【００１４】
本発明のプレゼンテーション制御システムは、プレゼンテーションの内容を表す識別子を含むか又はこれを備えたノートカードのような物理的オブジェクトを使用する。物理的オブジェクトに添付されたニーモニックは、例えばプレゼンテーションスライドなど、そのオブジェクトによって表される内容を明確に示す。ユーザは、これらのニーモニックと共に、ディスプレイ内容を示すメモ(notes)のようなニーモニックを補うことのできる追加のメモ又はグラフィックスを組み込むことができ、これらはプレゼンテーションを更に助ける。
【００１５】
物理的オブジェクトに組み込まれた、又はこれに添付されたニーモニックは読み取り可能識別デバイスによって補われる。このデバイスにより、本発明のプレゼンテーション制御システムは物理的オブジェクトに関連するユーザの動作を解釈することができる。例えば、プレゼンターはプレゼンテーションのための資料を表すニーモニックを含む１セットのカードをテーブル又は講演台の上にばらまくことができる。次に、プレゼンターは１枚のカードを選択し、これをプレゼンテーション制御システムのセンサデバイスに取り込み、そして選択されたカードに関連するプレゼンテーションエレメントを観客に表示することができる。
【００１６】
本発明のプレゼンテーション制御システムは、プレゼンターに過重な負担をかける認識システムから、十分に利用されない領域、例えばプレゼンターの感覚の周辺領域へと、作業の負担を軽くする。本発明のプレゼンテーション制御システムにより、ユーザは、特定のユーザインターフェースの操作に注意力を殆ど注がなくてもプレゼンテーションシステムを制御することができる。本発明のプレゼンテーション制御システムは、広範囲の人間の知覚に携わり、現行のプレゼンテーションシステム及びインターフェースにおいてみられるものよりも高程度の低意図対話を可能にする。本発明のプレゼンテーション制御システムは、直接的な物理的動作がグラフィカルユーザインターフェースとの対話よりも効率的で信頼できることを認識する。例えば、コンピュータのスピーカーのノブを用いて音の大きさを調節することは、制御ウィンドウ内のスライダを見つけて調節することよりも容易に達成される。
【００１７】
本発明の第１の態様は、少なくとも１つのプレゼンテーションエレメントを識別する少なくとも１つのプレゼンテーションエレメント識別子を含む可触及び可感の識別保持デバイスを用いてプレゼンテーションを制御するプレゼンテーション制御システムであって、前記プレゼンテーションエレメント、前記プレゼンテーションエレメントに関連付けられた少なくとも１つのプレゼンテーションエレメント識別子、前記プレゼンテーションエレメントに含まれる少なくとも１つの制御可能エレメント、前記制御可能エレメントに関連付けられた少なくとも１つの制御機能、及び前記制御可能エレメントに関連付けられた少なくとも１つの制御エレメント識別子を記憶するメモリと、前記識別保持デバイスから、前記プレゼンテーションエレメント識別子及び前記制御エレメント識別子を感知するセンサと、前記メモリを参照して、前記センサで感知された前記プレゼンテーションエレメント識別子によって識別された前記プレゼンテーションエレメントを選択し、前記センサで感知された前記制御エレメント識別子に基づいて前記選択されたプレゼンテーションエレメントに含まれる前記制御可能エレメントを識別し、識別された前記制御可能エレメント及び該制御可能エレメントに関連する制御機能を検索すると共に、検索された制御機能を実行するコントローラと、前記選択されたプレゼンテーションエレメントを表示するディスプレイと、を含む。即ち、コントローラは感知された制御エレメント識別子に基づいて選択されたプレゼンテーションエレメントに影響を及ぼす。
【００１９】
第１の態様において、前記コントローラは、前記プレゼンテーションエレメント及び前記プレゼンテーションエレメント識別子を関連付けて前記メモリに記憶し、前記制御可能エレメント、前記制御機能、及び前記制御エレメント識別子を関連付けて前記メモリに記憶すると共に、前記メモリを参照して、前記プレゼンテーションエレメント識別子から前記プレゼンテーションエレメントを識別し、前記制御エレメント識別子から前記制御可能エレメントを識別する識別コントローラを含む。
【００２１】
第１の態様において、前記コントローラは、前記識別コントローラで識別された前記プレゼンテーションエレメントを選択し、前記識別コントローラで識別された前記制御可能エレメント及び該制御可能エレメントに関連する制御機能を検索し、検索された制御機能を実行するプレゼンテーションコントローラを含む。
【００２２】
第１の態様において、前記センサは、スキャナ、バーコード読み取り装置、電子感知デバイス、電気機械式感知デバイス、誘導性感知デバイス、容量性感知デバイス、超小型チップ読み取り装置、超小型マシンデバイス読み取り装置、超小型電気機械デバイス読み取り装置、及び超音波読み取り装置のうちの少なくとも１つである。
【００２３】
第１の態様において、前記ディスプレイは、オーバーヘッドプロジェクタ、テレビ、大型スクリーンテレビ、ビデオプロジェクタ、スライドプロジェクタ、及びモニタのうちの少なくとも１つである。
【００２４】
第１の態様において、前記可触及び可感の識別保持デバイスが、プリントされた媒体、電子デバイス、容量性デバイス、誘導性デバイス、電気機械デバイス、超小型マシン、超小型電気機械デバイス、超音波伝導デバイス、及びマイクロチップのうちの少なくとも１つである。
【００２５】
本発明の第１の態様に対応する、物理的オブジェクトを用いるプレゼンテーション制御方法は、少なくとも１つのプレゼンテーションエレメントを識別する少なくとも１つのプレゼンテーションエレメント識別子と、少なくとも１つの制御可能エレメントを識別する少なくとも１つの制御エレメント識別子とを含む可触及び可感の識別保持デバイスをセンサに提示するステップと、前記少なくとも１つのプレゼンテーションエレメント識別子及び前記少なくとも１つの制御エレメント識別子を感知するステップと、前記少なくとも１つのプレゼンテーションエレメント識別子によって識別された前記少なくとも１つのプレゼンテーションエレメントを選択するステップと、前記感知された制御エレメント識別子に基づいて前記少なくとも１つの制御可能エレメントに影響を及ぼすステップと、前記少なくとも１つの選択されたプレゼンテーションエレメントを表示するステップと、を含む。
【００２６】
第１の態様において、前記メモリは、前記制御エレメント識別子と前記制御可能エレメントとをマッピングデータ構造に基づいて関連付ける。
【００２７】
第１の態様において、前記可触及び可感の識別保持デバイスが少なくとも１つのニーモニックを更に含む。
【００３１】
第１の態様において、前記コントローラは、カスタム制御機能が望まれる場合には、前記検索された制御機能を変更し、変更された制御機能を実行する。
【００３２】
本発明の第２の態様は、本発明のプレゼンテーション制御システムにおいてプレゼンテーションを制御するのに使用可能な物理的オブジェクトを生成する物理的オブジェクト生成システムであって、少なくとも１つのプレゼンテーションエレメントを、該プレゼンテーションエレメントを識別するプレゼンテーションエレメント識別子に関連付けると共に、前記プレゼンテーションエレメントに含まれる少なくとも１つの制御可能エレメント及び該制御可能エレメントに関連付けられた少なくとも１つの制御機能を、該制御可能エレメントを識別する制御エレメント識別子に関連付けるコントローラと、前記プレゼンテーションエレメント識別子と前記制御エレメント識別子とを、可触及び可感の識別保持デバイスに提供するジェネレータと、を含む。
【００３３】
第２の態様において、前記プレゼンテーションエレメント、前記プレゼンテーションエレメント識別子、前記プレゼンテーションエレメントに含まれる少なくとも１つの制御可能エレメント、前記制御可能エレメントに関連付けられた少なくとも１つの制御機能、及び前記制御可能エレメントに関連付けられた少なくとも１つの制御エレメント識別子を記憶するメモリを更に含む。
【００３４】
第２の態様において、前記ジェネレータは、プリンタ、バーコード書き込み装置、電子デバイス、電気機械式デバイス、誘導性デバイス、容量性記憶デバイス、マイクロチップバーナ、超小型マシンデバイス書き込み装置、超小型電気機械デバイス書き込み装置、及び超音波伝導デバイスのうちの少なくとも１つである。
【００３５】
第２の態様において、前記可触及び可感の識別保持デバイスが、プリントされた媒体、電子デバイス、容量性デバイス、誘導性デバイス、電気機械デバイス、超小型マシン、超小型電気機械デバイス、超音波伝導デバイス、及びマイクロチップのうちの少なくとも１つである。
【００３６】
第２の態様において、前記可触及び可感の識別保持デバイスが少なくとも１つのニーモニックを更に含む。即ち、前記コントローラは、少なくとも１つのプレゼンテーションエレメントを表すニーモニックを生成し、該ニーモニックを対応するプレゼンテーションエレメントを識別するプレゼンテーションエレメント識別子に関連付けると共に、少なくとも１つの制御可能エレメント又は該制御可能エレメントに関連付けられた少なくとも１つの制御機能を表すニーモニックを生成し、該ニーモニックを対応する制御可能エレメントを識別する制御エレメント識別子に関連付け、前記ジェネレータは、互いに関連付けられた前記ニーモニック及び前記プレゼンテーションエレメント識別子と、互いに関連付けられた前記ニーモニック及び前記制御エレメント識別子と、を可触及び可感の識別保持デバイスに提供する。
【００３７】
本発明のこれらの特徴及び利点、ならびに他の特徴及び利点は、下記の好適な実施の形態の詳細な説明において説明され、この説明から明らかになる。
【００３８】
【発明の実施の形態】
本発明の好適な実施の形態は、図面を参照して詳しく説明される。
【００３９】
本発明のプレゼンテーション制御システムの動作により、プレゼンテーションエイドのアレイに直ちにアクセスできる一方で、電子システムがプレゼンテーションをサポートするように維持するためにプレゼンターに必要な注意力が低減される。プレゼンターは、観客に対して行われるプレゼンテーションを補うスライドショーのようなプレゼンテーションエイド、即ちエレメントのセットを生成する。次に、プレゼンターは少なくとも１つの可触及び可感のオブジェクト、例えば可感コード又は他の識別エレメントを有するカードを、プレゼンテーションの少なくとも１つのプレゼンテーションエイドエレメントに関連付ける。従って、プレゼンターはプレゼンテーションエレメントに対応する物理的オブジェクトを有する。スライドなどのプレゼンテーションエレメントを表示するために、プレゼンターは複数のカードのうちの１枚など１つのオブジェクトをプレゼンテーション制御システムのセンサに示す。これによってプレゼンテーションシステムは選択されたカードに対応するスライドを検索し、例えば観客にこのスライドを表示する。
【００４０】
具体的に、プレゼンテーションオーサリングソフトウェアは、例えばスライドショーのスライド、チャート、グラフ、地図、動画(animation)、ビデオセグメント、マルチメディアクリップなど、プレゼンテーションのプレゼンテーションエレメントを生成するのに使用される。次に、識別情報がプレゼンテーションの各プレゼンテーションエレメントに割り当てられる。この割り当てられた識別情報を用いて、ニーモニック及び識別エレメントをプレゼンテーション内の各プレゼンテーションエレメントに関連付ける。そして、各ニーモニックは可触及び可感の識別保持デバイスに転送される、即ち物理的に関連付けられる。
【００４１】
プレゼンテーションのプレゼンテーションエレメントを提示するために、ユーザは複数の可触及び可感の識別保持デバイスのうちの１つを本発明のプレゼンテーション制御システムのセンサの可感領域に取り込む。可触及び可感の識別保持デバイスの感知に応答して、プレゼンテーション制御システムはプレゼンテーションシステムを制御し、識別情報によってこの可触及び可感の識別保持デバイスに関連付けられたプレゼンテーションエレメントを表示する。このようにして、プレゼンターの注意力をプレゼンテーションシステムから観客ならびに可触及び可感の識別保持デバイスに向け直すことができる。これらの可触及び可感の識別保持デバイスはプレゼンテーションシステムの注意力を消費するグラフィカルユーザインターフェースに取って代わると共に、選択された可触及び可感の識別保持デバイスが含む識別子によって指定されるあらゆるプレゼンテーションエレメントに直ちにアクセスすることができる。
【００４２】
図１〜図３は、本発明のプレゼンテーション制御システムの１つの実施の形態を示している。具体的に、図１〜図３は、ユーザが図１においてプレゼンテーションを生成し、図２において可触及び可感の識別エレメントをプレゼンテーションに関連付け、図３においてプレゼンテーション制御システムを使用してプレゼンテーションシステムを制御する際にプレゼンテーション制御システム１０００の構成要素が変わる態様を示している。
【００４３】
図１は、プレゼンテーションを生成する際のプレゼンテーション制御システム１０００の構成要素を示している。具体的に、プレゼンテーションシステム１０００は、メモリ１２００、識別コントローラ１３００、I/O（入出力）インターフェース１４００、データ入力デバイス１００、リンク１０１０及びコントローラ１１００を含む。図１に示されるように、プレゼンテーション制御システムは汎用コンピュータにおいて実施されるのが好ましい。メモリ１２００は、プレゼンテーションメモリ部分１２１０及びプレゼンテーションエレメント識別子メモリ部分１２７０を含む。
【００４４】
記憶されたプレゼンテーションメモリ部分１２１０及びプレゼンテーションエレメント識別メモリ部分１２７０はそれぞれ、例示的なプレゼンテーションのために、第１のプレゼンテーションエレメント１２２０及び第１の関連プレゼンテーションエレメント識別子１２７２、第２のプレゼンテーションエレメント１２３０及び第２の関連プレゼンテーションエレメント識別子１２７４、第３のプレゼンテーションエレメント１２４０及び第３の関連プレゼンテーションエレメント識別子１２７６、第４のプレゼンテーションエレメント１２５０及び第４の関連プレゼンテーションエレメント識別子１２７８、ならびに第５のプレゼンテーションエレメント１２６０及び第５の関連プレゼンテーションエレメント識別子１２８０を含む。実際に使用する際、ユーザによって必要とされる数のプレゼンテーションエレメントがプレゼンテーションメモリ部分１２１０にあり、必要数の関連プレゼンテーションエレメント識別子がプレゼンテーションエレメント識別メモリ部分１２７０に存在することを理解すべきである。
【００４５】
ユーザはデータ入力デバイス１００を介してデータを入力する。このデータは、ユーザが例えばプレゼンテーションに組み込みたい情報に対応する。このデータは、データ入力デバイス１００からI/Oインターフェース１４００に転送される。入力データは、ユーザがプレゼンテーションの生成に有用であるとみなす資料は全て可能である。具体的に、データは、グラフィックス、チャート、マルチメディアクリップ、テキストのストリング（列、一続き）、動画を用いたグラフィックス、スプライト、又はあらゆる他の電子読み取り可能なプレゼンテーションエイドを含むことができるが、これらに限定されない。コントローラ１１００の制御下の入力データは、プレゼンテーションメモリ部分１２１０内の複数のプレゼンテーションエレメントのうちの１つに記憶される。集合的なプレゼンテーションメモリ部分１２１０は、プレゼンテーション内の個々のエレメントとして、例えば第１〜第５のプレゼンテーションエレメント１２２０〜１２６０として記憶される。識別コントローラ１３００はリンク１０１０を介して、プレゼンテーションエレメント識別子をプレゼンテーションエレメント１２２０〜１２６０の各々にマッピングする。従って、第１〜第５のプレゼンテーションエレメント識別子１２７２〜１２８０の各々はそれぞれ第１〜第５のプレゼンテーションエレメント１２２０〜１２６０の少なくとも１つに関連する。
【００４６】
プレゼンテーションメモリ部分１２１０、プレゼンテーションエレメント１２２０〜１２６０及び関連プレゼンテーションエレメント識別子１２７２〜１２８０が生成されて記憶されると、次にユーザはプレゼンテーション制御システム１０００を使用してプレゼンテーションエレメント１２２０〜１２６０を複数の可触及び可感の識別保持デバイスに関連付ける。
【００４７】
図２は、可触及び可感の識別保持デバイスを準備するのに使用されるプレゼンテーション制御システム２０００の構成要素の１つの実施の形態を示している。プレゼンテーション制御システム２０００は、コントローラ２１００、メモリ２２００、識別コントローラ２３００、I/Oインターフェース２４００ならびに可触及び可感の識別保持デバイスジェネレータ２００を含む。メモリ２２００は、プレゼンテーション２２１０、第１〜第５のプレゼンテーションエレメント２２２０〜２２６０及び第１〜第５のプレゼンテーションエレメント識別子２２７２〜２２８０を含む。
【００４８】
ユーザは、可触及び可感の識別保持デバイスに関連した様々なプレゼンテーションエレメントをユーザに示すニーモニックを選択する。ニーモニックは様々な方法で決定又は生成することができる。具体的に、ニーモニックはプレゼンテーション制御システムの生成物でありうる。この場合、プレゼンテーションエレメント２２２０〜２２６０を用いたプレゼンテーション制御システム２０００は、個々のプレゼンテーションエレメントに対応するサムネイル画像を生成する。そして、これらのサムネイル画像の各々は、対応するプレゼンテーションエレメントのニーモニックとして対応するプレゼンテーションエレメント識別子に関連付けられ、識別保持デバイスジェネレータ２００に送られる。各ニーモニックが対応するプレゼンテーションエレメント識別子にリンクされると、プレゼンテーション制御システム２０００はニーモニック及びプレゼンテーションエレメント識別子を識別保持デバイスジェネレータ２００に送る。識別保持デバイスジェネレータ２００により、ニーモニック及び関連プレゼンテーションエレメント識別子は共に１つの可触及び可感の識別保持デバイスに関連付けられる。
【００４９】
あるいは、特定のプレゼンテーションエレメントのニーモニックをユーザが選択することができる。この場合、ユーザは、少なくとも１つのプレゼンテーションエレメントをユーザに表すグラフィック又はクリップアート画像などの１つの表現を選択する。ニーモニックがユーザによって選択され、プレゼンテーション制御システム２０００に入力されると、プレゼンテーション制御システム２０００は特定のプレゼンテーションエレメント（単数又は複数）を表すユーザが選択したニーモニックを、対応するプレゼンテーションエレメント識別子に関連付ける。前述のように、プレゼンテーション制御システム２０００は次にニーモニック及びプレゼンテーションエレメント識別子を識別保持デバイスジェネレータ２００に送る。ニーモニック及びプレゼンテーションエレメント識別子が識別保持デバイスジェネレータ２００によって受け取られると、識別保持デバイスジェネレータ２００はニーモニック及びプレゼンテーションエレメント識別子を共に１つの可触及び可感の識別保持デバイスに関連付ける。
【００５０】
あるいは、１つ又はそれより多くの特定のプレゼンテーションエレメントに関連付けられるニーモニックの決定は、ユーザの入力データ及びプレゼンテーション制御システムの選択したデータを組み合わせたものであってもよい。例えば、プレゼンテーション制御システム２０００が特定のプレゼンテーションエレメントを表すサムネイル画像を生成する一方、ユーザはこのサムネイル画像に関連したテキストを追加することができる。この例では、サムネイル画像及びユーザの作成したテキストの双方が組み合わされてニーモニックを形成する。
【００５１】
更に、ニーモニックは、例えばペン、鉛筆、又はスタンプなどによってユーザが追加した手書きのスピーチメモによって補われることが可能であり、このメモは識別保持デバイス上に直接書き留められるか、又は識別保持デバイスにホチキスで留められた文書のように識別保持デバイスに添付される。補足メモは、プレゼンテーションエレメント内に含まれる情報から得ることができる。あるいは、補足メモはプレゼンターが有用とみなすものであれば何でもよい。従って、識別保持デバイスはプレゼンテーションの内容を表す物理的なオブジェクトとして機能するだけでなく、プレゼンターのコメント、所見又は他の表記を補う私用のメモを含むことができるオブジェクトとしての機能を兼ねる。従って、プレゼンターは識別保持デバイスに対して注釈を「大急ぎで」容易に付けてプレゼンテーションを更に助けたり、例えばプレゼンテーションの際に述べられたコメントを記録したりすることができる。
【００５２】
図３は、プレゼンテーションの際に使用されるプレゼンテーション制御システム３０００の構成要素の１つの実施の形態を示している。プレゼンテーション制御システム３０００は、識別感知デバイス４００、プレゼンテーション表示デバイス３００、コントローラ３１００、メモリ３２００、識別コントローラ３３００、I/Oインターフェース３４００、プレゼンテーションコントローラ３５００、メモリ３２００に記憶されるプレゼンテーションエレメント３２２０〜３２６０及びプレゼンテーションエレメント識別子３２７２〜３２８０、ならびに１つ又はそれより多くの可触及び可感の識別保持デバイスを含む。
【００５３】
可触及び可感の少なくとも１つの識別保持デバイス４１０がプレゼンテーション制御システム２０００によって生成されると、ユーザはプレゼンテーション中に識別保持デバイス４１０を使用することができる。複数の可触及び可感の識別保持デバイス４１０のうちの１つに添付されるかあるいはこれに関連付けられたプレゼンテーションエレメントのニーモニックに基づいて、所望のプレゼンテーションエレメントのための特定の可触及び可感の識別保持デバイスがユーザによって識別される。この可触及び可感の少なくとも１つの識別保持デバイス４１０は、識別感知デバイス４００の可感領域内に少なくとも一時的に配置される。識別感知デバイス４００は、特定の可触及び可感の識別保持デバイス４１０に関連したプレゼンテーションエレメント識別子の情報を、I/Oインターフェース３４００及びリンク３０１０を介して出力する。識別コントローラ３３００は、プレゼンテーションエレメント識別メモリ３２７０に記憶されるプレゼンテーションエレメント識別子に基づいて、識別保持デバイス４１０から受け取ったプレゼンテーションエレメント識別子の情報を特定のプレゼンテーションエレメントに関連付ける。次に、識別コントローラ３３００は選択されたプレゼンテーションエレメントを示す信号をプレゼンテーションコントローラ３５００に出力する。プレゼンテーションコントローラ３５００は、受け取った信号によって示される特定のプレゼンテーションエレメントを、リンク３０１０を介して検索する。選択されたプレゼンテーションエレメントを表す信号は次にリンク３０１０及びI/Oインターフェース３４００を介してプレゼンテーション表示デバイス３００に出力され、表示される。
【００５４】
先の実施の形態に関連して記したように、可触及び可感の識別保持デバイスは、その可触及び可感の識別保持デバイス４１０に含まれるプレゼンテーションエレメント識別子に関連したプレゼンテーションエレメントに関するニーモニックを保持することができるあらゆるデバイスが可能である。
【００５５】
可触及び可感の識別保持デバイス４１０の１つの特定の例示的な実施の形態は、ニーモニックを形成するサムネイル画像と、プレゼンテーションエレメント識別子を形成する少なくとも１つのバーコードを含むカードであり、ここでサムネイル画像は特定のプレゼンテーションエレメントを表している。本発明のプレゼンテーション制御システム３０００は決してこの特定の例示的な実施の形態に限定されていないが、この例はその簡潔さのために選択されている。この例示的な実施の形態は、バーコードスキャナを識別感知デバイス４００として、及びプリンタを識別保持デバイスジェネレータ２００として用いる。プリンタは、ユーザ及び／又はプレゼンテーション制御システムの指示に従って、プリントされたカード又はページ、即ち可触及び可感の識別保持デバイスを生成する。可触及び可感の識別保持デバイス４１０は、カード又はページにプリントされたプレゼンテーションエレメント識別子としての１つのバーコードを含む。少なくとも１つの特定のプレゼンテーションエレメントをニーモニックとして表すサムネイル画像もこのカードにプリントされる。図４〜図１８は、本発明の発明者が識別保持デバイス４１０として開発した例示的なプリントカードを示している。
【００５６】
具体的に、図４〜図１２は例示的な識別デバイス４１０の外観の態様を示している。図４は識別保持カード１４００の表面を表しており、これはニーモニック１４１０と、プレゼンテーションエレメント識別子を形成し、これを表すバーコード１４２０を含む。図５は、図４に示されるカードの裏面を示している。また、このカードの裏面はテキストのストリングであるニーモニック１４３０と、バーコード１４２０のもう１つのコピーを含む。
【００５７】
図４及び図５に示されるように、プレゼンテーションエレメント識別子としてのバーコード１４２０は１つ又はそれより多くのニーモニック１４１０又は１４３０に関連付けられており、これらは特定のプレゼンテーションエレメントにリンクされている。しかし、プレゼンテーションエレメント識別子は１つの特定のプレゼンテーション内の特定のプレゼンテーションエレメントにリンクされなくてもよいことを理解すべきである。反対に、プレゼンテーションエレメント識別子はあらゆるプレゼンテーションにおけるあらゆるプレゼンテーションエレメント又はプレゼンテーションエレメントのセットを識別する。例えば、プレゼンテーションエレメント識別子は、例えばハイパーリンク、ファイル名、ページ数、ユニフォームリソースロケータ（ＵＲＬ）、全文探索キーワード又は他の照会構文、データベースアドレス及び／又は少なくとも１つの特定のプレゼンテーションエレメントを含むプレゼンテーション制御システム内もしくはこのシステムの外の特定のメモリ位置への経路とすることができる。プレゼンテーションエレメント識別子は１つの特定のロードされたプレゼンテーション内の特定のプレゼンテーションエレメントの識別に決して限定されず、後続のディスプレイのために少なくとも１つのプレゼンテーションエレメントを含む少なくとも１つのメモリ位置への経路であってもよい。プレゼンテーションエレメント識別子に対する唯一の要件は、プレゼンテーション制御システムがおそらく静的情報と共に所望のプレゼンテーションエレメントを識別できるのに十分な情報をプレゼンテーションエレメント識別子が含むことである。このような静的情報は、例えば、表示されるべき現在のプレゼンテーションエレメントの現在のプレゼンテーションでありうる。
【００５８】
図６〜図１２は、例示的なプリントカード又は用紙上のプレゼンテーションエレメント識別子及びニーモニックの構成の、他の様々な例示的な実施の形態を示している。これらの様々な形状は、カードの特定のデザインのうちのいくつかを示すように図示されている。
【００５９】
例えば図６では、プレゼンテーションエレメント識別子としてのバーコード１４５２、ならびにニーモニックとしてのサムネイル画像１４５４及びテキスト１４５６がカード１４５０の同一面上に垂直方向に並べて示されている。図７は特定のデザインを示しており、ここでプレゼンテーションエレメント識別子としてのバーコード１４６２及びニーモニックとしてのサムネイル画像１４６４はカード１４６０の表面に示されている。第２のニーモニックとして機能しうる追加の情報であるもう１つのテキストのストリング１４６６が、図８においてカードの裏面に示されている。
【００６０】
図９及び図１０はそれぞれ、カード１４７０の表面及び裏面のデザインを示している。図９では、カード１４７０の表面は第１のニーモニックとしてサムネイル画像１４７４を含む。図１０に示されるカード１４７０の裏面は、第２のニーモニックとしてのテキストのストリング１４７６と、プレゼンテーションエレメント識別子としてのバーコード１４７２とを含む。図１１及び図１２はカード１４８０の別のデザインを示しており、ここでニーモニックとしてのサムネイル画像１４８４及びテキストのストリング１４８６がカード１４８０の一方の面に含まれ、プレゼンテーションエレメント識別子としてのバーコード１４８２がカード１４８０の裏面に配置されている。
【００６１】
図１３は、例示による可触及び可感の機能的識別保持デバイス１５００を示している。具体的に、可触及び可感の機能的識別保持デバイス１５００は機能的プレゼンテーションエレメント識別子１５１０を含む。特定のプレゼンテーションエレメントにリンクされる代わりに、機能的プレゼンテーションエレメント識別子１５１０はプレゼンテーション制御システムに対する定義済みの動作を識別する。図１３では、プレゼンテーションエレメント識別子１５１０は音声をオフにする機能を識別する。プレゼンテーションエレメント識別子１５１０の感知に応答して、プレゼンテーション制御システムはプレゼンテーションシステムに音声をオフにするように指示する。図１４〜図１８は、プレゼンテーションプロセスを容易にするためにユーザが生成しうる、他の例示による可触及び可感の機能的識別カードを示している。
【００６２】
例えば、ユーザはプレゼンテーションを補うために１セットのカードを可触及び可感の識別保持デバイスとして準備する。これらのカードは、プレゼンテーションの際に観客に表示されるプレゼンテーションエレメント、例えばスライドに対応する。プレゼンテーションを始めるために、ユーザは第１の所望のプレゼンテーションエレメントに対応するカードを識別感知デバイス４００の可感領域に配置する（図３）。識別感知デバイス４００はそのカードに含まれるプレゼンテーションエレメント識別子を読み取り、続いてプレゼンテーション制御システムはプレゼンテーションシステムに、関連するプレゼンテーションエレメントを検索し、そのプレゼンテーションエレメントをプレゼンテーション表示デバイスに表示して観客に示すように指示をする。次に、ユーザは「機能カード」、例えば図１４に示されるような「次（NEXT)のカード」である可触及び可感の機能的識別カード１５２０を識別感知デバイス４００の可感領域に配置して、識別された次のプレゼンテーションエレメントにプレゼンテーションを進めることができる。
【００６３】
あるいは、ユーザはプレゼンテーションの特定のアスペクトに関して質問される場合がある。この特定の事柄をより綿密に調べるために、ユーザは、全く関連性のないプレゼンテーションからのプレゼンテーションエレメントを識別する識別感知デバイス４００内にカードを取り込むことができる。このプレゼンテーションエレメントは、プレゼンテーション制御システムに対して利用可能であれば、観客に表示することができる。従って、プレゼンテーション制御システムが表示できる、又は行えることに関しては、追加のプレゼンテーションエレメント又は機能に対する利用可能性又は接続可能性によってのみ制限される。
【００６４】
図１３〜図１８では、複数のプレゼンテーションエレメント識別子を有する例示的な機能カードが示されている。具体的に、図１５に示される「止め（QUIT)」機能カードにより、プレゼンテーション制御システムはプレゼンテーション制御部に、表示されたプレゼンテーションスライドを全てスクリーンから取り除くように指示することができる。図１６に示される「音声追加（ADD SOUND)」機能カードにより、プレゼンテーション制御システムはプレゼンテーションコントローラに、現在選択されているか又は表示されているプレゼンテーションエレメント識別子によって識別される音声又は音声クリップをオンにするように指示することができる。図１７の「戻る（BACK)」機能カードにより、プレゼンテーション制御システムはプレゼンテーション制御部に、前のスライドを再び表示するように指示することができる。図１８の「併合（MERGE)」機能カードにより、プレゼンテーション制御システムはプレゼンテーション制御部に、複数のスライドを１つの複合スライドに併合するように指示することができる。
【００６５】
図１３〜図１８では、識別感知デバイスによる読み取りを容易にするために、複数のプレゼンテーションエレメント識別子が例示的なカード上にプリントされている。プレゼンテーションエレメント識別子はどの箇所に配置されてもよく、１つより多くのニーモニック及び関連プレゼンテーションエレメント識別子が単一の可触及び可感の識別保持デバイスに配置されてもよいことを理解すべきである。最後に、プレゼンテーションエレメント識別子はバーコードの形をとらなくてもよい。従って、可触及び可感の識別保持デバイスを形成する１枚のカードの表面が１つのプレゼンテーションエレメント識別子及び１つのニーモニックを有し、その裏面が異なるプレゼンテーションエレメント識別子及び関連するニーモニックを有することができる。同様に、カードの一方の面の各端部に異なるプレゼンテーションエレメント識別子及びニーモニックを有することができる。前述のように、これらのプレゼンテーションエレメント識別子はデータグリフでさえも可能であり、又は立体物(figurine)もしくは他の可触オブジェクトに埋め込まれたコンピュータ読み取り可能マイクロチップに記憶される電子データでもよい。
【００６６】
更に、識別保持デバイス４１０は１つの特定のプレゼンテーションエレメントに関する情報の保持に限定される必要はなく、プレゼンテーションエレメント識別子の保持のみならず、プレゼンテーションエレメントが１つのエレメントであるプレゼンテーションのマッピングデータの保持に拡張されることも可能である。従って、識別保持デバイスが感知された後に現在ロードされているプレゼンテーションに対応しない機能カードが取り込まれた場合、この機能カードは、例えば新たにロードされたプレゼンテーション内をナビゲートすることができる。
【００６７】
あるいは、１つ又はそれより多くの別個のプレゼンテーションのマッピングデータを特定の識別保持デバイス上に符号化することができる。従って、１つもしくはそれより多くのプレゼンテーション内のナビゲーション、又は１つもしくはそれより多くのプレゼンテーション間のナビゲーションは、識別保持デバイスを用いることによって、及び／又は機能保持デバイスを用いることによって達成することができる。可触及び可感の識別保持デバイスが、特定のプレゼンテーションエレメントに関連付けられる特定のプレゼンテーションエレメント識別子に関連して説明されたが、プレゼンテーションエレメント識別子は静的プレゼンテーションエレメントに限定されなくてもよい。あるいは、可触及び可感の識別保持デバイス４１０は、プレゼンテーションシステムによって行われ、及び／又は特定のプレゼンテーションエレメントに適用される機能を識別するプレゼンテーションエレメント識別子を含むことができる。
【００６８】
プレゼンテーションエレメントを識別すると共に、表示されるプレゼンテーションエレメントを識別するためにプレゼンテーション制御システムによって使用されるプレゼンテーションエレメント識別子のように、プレゼンテーションエレメント識別子を用いて、プレゼンテーション制御システムがプレゼンテーションシステムに特定のプレゼンテーションエレメントを実行するように及び／又は特定のプレゼンテーションエレメントに適用するように指示するのに使用される特定の機能を識別することもできる。この場合、プレゼンテーションエレメントが識別される代わりに、プレゼンテーションのナビゲーション、又はプレゼンテーションシステムの特定のアスペクトをオンもしくはオフにするなどの機能を達成することができる。
【００６９】
可触及び可感の識別保持デバイスは、プレゼンテーションエレメントが関連付けられたプレゼンテーションエレメント識別子の保持のみに限定される必要はない。特に、可触及び可感の識別保持デバイスはプレゼンテーションエレメント内のオブジェクトに関連する制御機能を識別することができる。
【００７０】
例えば、例としてスライドであるプレゼンテーションエレメントがオーディオクリップ、ビデオクリップ又はマルチメディアクリップなどのオブジェクトを含む場合、制御識別感知デバイスは、制御識別保持デバイスと協働して、プレゼンテーションエレメント内に含まれるエレメントを制御することができる、即ちエレメントの再生、停止、早送りなどを行うことができる。
【００７１】
図１９は、制御識別保持デバイスを準備するのに使用されるプレゼンテーション制御システム４０００の構成要素の１つの実施の形態を示している。プレゼンテーション制御システム４０００は、コントローラ４１００、メモリ４２００、識別コントローラ４３００、I/Oインターフェース４４００、可触及び可感の識別保持デバイスジェネレータ２００、ならびに制御識別保持デバイスジェネレータ２１０を含む。メモリ４２００は、メモリのプレゼンテーションエレメント部分４２１０において、第１〜第５のプレゼンテーションエレメント４２２０〜４２６０、ならびに制御可能エレメント４２４２及び４２６２を含む。メモリ４２００のプレゼンテーションエレメント識別子部分４２７０は、第１〜第５のプレゼンテーションエレメント識別子４２７２〜４２８０を含む。更に、メモリ４２００は、制御識別記憶部分４２９０、ならびに制御エレメント識別４２９２及び４２９４を含む。
【００７２】
制御可能オブジェクト４２４２及び４２６２は、プレゼンテーションエレメント内の「アクティブ」部分である。プレゼンテーションエレメントとプレゼンテーションエレメント識別子との間の関係のように、制御エレメント４２４２及び４２６２と制御エレメント識別子４２９２及び４２９４との間にはそれぞれ同様の関係が存在する。
【００７３】
図２に示す実施の形態のように、ユーザは、特定の可触及び可感の識別保持デバイス又は制御識別保持デバイスに関連した様々なプレゼンテーションエレメント及び／又は制御エレメントをユーザに示すニーモニックをそれぞれ選択する。ニーモニックは様々な方法で決定又は生成することができる。具体的に、ニーモニックはプレゼンテーション制御システム４０００の生成物でありうる。この場合、プレゼンテーション制御システム４０００は、プレゼンテーションエレメント４２２０〜４２６０ならびに関連する制御エレメント４２４２及び４２６２を用いて、個々のプレゼンテーションエレメントに対応するサムネイル画像などのニーモニックを生成する。また、プレゼンテーション制御システム４０００は、プレゼンテーションエレメントを表すのに使用されうるサムネイル画像に加えて、プレゼンテーションエレメントに関連付けられた制御エレメントの制御機能を表すニーモニックを生成する。そして、これらのニーモニックの各々は、対応するプレゼンテーションエレメント及び制御エレメントそれぞれのニーモニックとして対応するプレゼンテーションエレメント識別子及び制御エレメント識別子にそれぞれ関連付けられ、識別保持デバイスジェネレータ２００及び制御識別保持デバイスジェネレータ２１０にそれぞれ送られる。各ニーモニックが対応する識別子にリンクされると、プレゼンテーション制御システム４０００はニーモニック及び識別子を適切な識別保持デバイスジェネレータに送る。識別保持デバイスジェネレータにより、ニーモニック及び関連付けられたプレゼンテーションエレメント識別子又は制御エレメント識別子は共に１つの可触及び可感の識別保持デバイスに関連付けられる。
【００７４】
あるいは、特定の制御エレメントのニーモニックをユーザが選択することができる。この場合、ユーザは、少なくとも１つの制御エレメントをユーザに表すグラフィック又はクリップアート画像などの１つの表現を選択する。ニーモニックがユーザによって選択され、プレゼンテーション制御システム４０００に入力されると、プレゼンテーション制御システム４０００は特定の制御エレメント（単数又は複数）を表すユーザが選択したニーモニックを対応する制御エレメント識別子に関連付ける。前述のように、プレゼンテーション制御システム４０００は次にニーモニック及び制御エレメント識別子を制御識別保持デバイスジェネレータ２１０に送る。ニーモニック及び制御エレメント識別子が制御識別保持デバイスジェネレータ２１０によって受け取られると、制御識別保持デバイスジェネレータ２１０はニーモニック及び制御エレメント識別子を共に１つの可触及び可感の識別保持デバイスに関連付ける。
【００７５】
あるいは、１つ又はそれより多くの特定の制御エレメントに関連付けられるニーモニックの決定は、ユーザの入力データ及びプレゼンテーション制御システムの選択したデータを組み合わせたものであってもよい。例えば、プレゼンテーション制御システム４０００が特定の制御エレメントを表すサムネイル画像を生成することができる一方、ユーザはこのサムネイル画像に関連したテキストを追加することができる。この例示的な実施の形態では、サムネイル画像及びユーザの作成したテキストの双方が組み合わされてニーモニックを形成する。
【００７６】
更に、制御識別保持デバイスジェネレータ２１０及び識別保持デバイスジェネレータ２００は、各々の制御エレメント識別子及びプレゼンテーションエレメント識別子を同一の可触及び可感の識別保持デバイス又は別個の可触及び可感の識別保持デバイスに関連付けることができることを理解すべきである。従って、制御識別保持デバイスジェネレータ２１０及び識別保持デバイスジェネレータ２００を１つのハードウェア構成要素内に組み込むことができる。
【００７７】
メモリ４２００は、制御識別部分４２９０を含む。制御識別部分４２９０は、プレゼンテーションエレメント内のアクティブオブジェクトに対応する制御識別４２９２及び４２９４を含む。図１９に示すように、プレゼンテーションエレメント４２４０は対応する制御エレメント識別４２９２を有し、同様に、プレゼンテーションエレメント４２６０は対応する制御エレメント識別４２９４を有する。これらの制御識別は、プレゼンテーションエレメント内のアクティブオブジェクトに関連付けられた制御機能に該当する。例えば、プレゼンテーションエレメントはオーディオクリップ又はマルチメディアクリップなどのアクティブエレメントを有することができる。ユーザが識別保持デバイスジェネレータ２００を用いて識別保持デバイスを生成し、及び／又は制御識別デバイスジェネレータ２１０を用いて制御可能エレメント識別保持デバイスを生成する際に、プレゼンテーション制御システム４０００はプレゼンテーションのために要求されるプレゼンテーションエレメントをモニタする。プレゼンテーション制御システム４０００が、プレゼンテーションエレメント内にアクティブエレメントがあると判断した場合、プレゼンテーション制御システム４０００は、ユーザが制御機能をそのアクティブエレメントに関連付けたいか否かをユーザに照会する。
【００７８】
例えば、プレゼンテーションエレメント４２４０内の制御可能エレメント４２４２がマルチメディアクリップである場合、プレゼンテーション制御システムは、その特定の制御可能エレメントに関連付けられた典型的な制御機能のセットをユーザに示す。プレゼンテーション制御システム４０００は、制御機能をその特定の制御可能エレメントに関連付ける、といったユーザの要求を受け取ると、制御識別を生成する。この制御識別は、制御エレメント及びその制御可能エレメントに関連付けられた制御機能（即ち、再生、停止、早送り、巻戻しなど）の双方に対応する。図１９に示す例示的な実施の形態では、プレゼンテーションエレメント４２４０は関連する制御可能エレメント４２４２を有する。関連する制御可能エレメント４２４２は、メモリ４２９０に記憶された対応する制御エレメント識別４２９２を有する。
【００７９】
また、プレゼンテーションエレメントは１つより多くの制御可能エレメントを含むことができることを理解すべきである。その場合、プレゼンテーション制御システムはプレゼンテーションエレメント内の各制御可能エレメントを調べ、その制御可能エレメントに制御を関連付けるか否かをユーザに照会する。制御可能エレメントに制御を関連付ける場合は、特定の制御に関する照会が更になされる。更に、１つより多くの制御をあらゆる特定の制御可能エレメントに関連付けることができることを理解すべきである。例えば、制御可能エレメントデバイスジェネレータによって生成される制御可能エレメント保持デバイスは、複数のスイッチを有することができる。これらのスイッチの各々を、異なる制御エレメント識別に関連付けることができる。
【００８０】
例えば、使用において、ユーザがプレゼンテーションの際の表示のために種々のプレゼンテーションエレメントを組み合わせる際に、プレゼンテーション制御システム４０００はプレゼンテーションに追加されたプレゼンテーションエレメントをモニタする。プレゼンテーションエレメントが１つ又はそれより多くの制御可能エレメントを含む、とプレゼンテーション制御システム４０００が判断した場合、プレゼンテーション制御システム４０００は制御可能エレメントのタイプを検出する。この検出に基づいて、プレゼンテーション制御システム４０００は、その特定の制御可能エレメントに関連付けるためにユーザが望む制御のタイプをユーザに照会する。例えば、スライドなどのプレゼンテーションエレメントがマルチメディアクリップなどの制御可能エレメントを含む場合、プレゼンテーション制御システム４０００は一般にマルチメディアクリップに関連付けられる所定の制御のセットを生成し、これをユーザに提示する。例えば、これらの制御を、再生、停止、早送り、巻戻し、音量増大、音量減少などとすることができる。しかし、ユーザは、特殊化された制御を入力してもよいし、又は特殊化された制御及び所定の制御の組み合わせを入力してもよいことを完全に理解するべきである。例えば、制御可能エレメントがビデオクリップであり、プレゼンテーション制御システム４０００が再生、停止、早送り及び巻戻しといった制御をユーザに提示した場合、ユーザは制御のリストに「キュー」を追加したくなる可能性がある。従って、プレゼンテーションエレメント内の特定の制御可能エレメントに関連付けられた制御を、プレゼンテーション制御システム、選択された制御及びユーザ制御の組み合わせとすることも可能である。
【００８１】
図２０は、プレゼンテーションの際に使用されるプレゼンテーション制御システム５０００の構成要素の１つの実施の形態を示している。プレゼンテーション制御システム５０００は、識別感知デバイス４００、プレゼンテーション表示デバイス３００、制御識別感知デバイス４２０、コントローラ５１００、メモリ５２００、識別コントローラ５３００、I/Oインターフェース５４００、プレゼンテーションコントローラ５５００、メモリ５２００に記憶されたプレゼンテーションエレメント５２２０、５２３０、５２４０、５２５０及び５２６０、プレゼンテーションエレメント識別子５２７２〜５２８０、制御可能エレメント５２４２及び５２６２、ならびに制御エレメント４２９２及び４２９４、１つ又はそれより多くの可触及び可感の識別保持デバイス４１０、及び／又は１つ又はそれより多くの制御可能エレメント識別保持デバイス４３０を含む。
【００８２】
制御識別保持デバイス４３０がプレゼンテーション制御システム４０００によって生成されると、ユーザはプレゼンテーション中に識別保持デバイス４３０を使用することができる。複数の制御識別保持デバイス４３０のうちの１つに添付されるかあるいはこれに関連付けられたニーモニックに基づいて、所望のプレゼンテーションエレメントのための、より具体的には制御可能エレメントに関連付けられた制御のための特定の制御識別保持デバイス４３０がユーザによって識別される。この制御識別保持デバイス４３０は、制御識別感知デバイス４２０の可感領域内に少なくとも一時的に配置される。制御識別感知デバイス４２０は、特定の制御可能エレメント識別保持デバイス４３０に関連付けられた制御識別情報を、I/Oインターフェース５４００及びリンク５０１０を介して出力する。必要に応じて、併合された識別感知デバイス及び制御識別感知デバイスが、感知されたプレゼンテーションエレメント識別子及び制御識別を出力することができる。識別コントローラ５３００は、制御エレメント識別メモリ５２９０に記憶された制御エレメント識別子に基づいて、制御識別保持デバイス４３０から受け取った制御エレメント識別子の情報を特定の制御エレメントに関連付ける。次に、識別コントローラ５３００は選択されたプレゼンテーション制御エレメントに対応する信号をプレゼンテーションコントローラ５５００に出力する。プレゼンテーションコントローラ５５００は、受け取った信号によって示される特定のプレゼンテーションエレメントを、リンク５０１０を介して検索する。選択されたプレゼンテーションエレメントを表す信号は次にリンク５０１０及びI/Oインターフェース５４００を介してプレゼンテーション表示デバイス３００に出力され、表示される。識別コントローラ５３００は制御識別メモリ５２９０に照会し、感知された制御可能エレメントに関連付けられた制御機能を検索する。そして、プレゼンテーションコントローラ５５００は、選択された制御可能エレメントの制御識別によって識別される制御機能を実行する。次に、制御可能エレメントの機能を表す信号は、リンク５０１０及び I/Oインターフェース５４００を介してコントローラ５１００に出力され、関連付けられた機能が実行される。
【００８３】
制御識別保持デバイス４３０は、連続的に「オン」にされたり、制御識別が制御識別感知デバイス４２０に転送される前にユーザによる補足的な動作を要求することができる。例えば、制御識別保持デバイス４３０を、図１４に示されるものに類似する「次」の制御識別保持デバイスとすることができる。この場合、制御可能エレメント識別保持デバイス４３０が制御識別感知デバイス４２０の可感領域内に配置された際に、制御識別感知デバイス４２０がバーコードを「読み取る」代わりに、制御可能エレメント識別が制御識別感知デバイス４２０に転送される。
【００８４】
あるいは、制御識別保持デバイスは「スイッチ」を組み込むことができる。この場合、ユーザによる第２の動作として、制御識別を制御識別保持デバイス４３０から制御識別感知デバイス４２０に転送することが必要である。例えば、制御識別保持デバイス４３０はマイクロスイッチを組み込むことができる。ユーザが制御識別保持デバイス４３０を制御識別感知デバイス４２０の可感領域内に配置しても、何も起こらない。そして、ユーザがマイクロスイッチを押すと、制御識別保持デバイス４３０は制御識別を制御識別感知デバイス４２０に転送する。このように、制御可能エレメントに関連付けられた制御機能が制御識別感知デバイス４２０に転送されると制御可能エレメントは作動される。更に、これによってユーザに対する融通性がより大きくなり、ユーザを固定位置から解放させることができる。例えば、制御識別保持デバイス４３０を、無線周波数帯又は赤外線の制御識別保持デバイスとすることができる。従って、ユーザが制御識別感知デバイス４２０の可感距離内にいる限り、制御識別は制御識別保持デバイス４３０から制御識別感知デバイス４２０に転送される。
【００８５】
あるいは、あらゆるタイプのスイッチデバイスを制御識別保持デバイスに組み込んで、制御識別の制御識別感知デバイスへの転送を生じさせることができる。例えば、スイッチを、１つ又はそれより多くの押しボタン（例えば、膜スイッチ及び／又はマイクロスイッチ）、１つ又はそれより多くのディップスイッチ、例えば磁気又は容量性近接スイッチなどの１つ又はそれより多くの近接スイッチ、１つ又はそれより多くのピエゾ素子、感光素子、抵抗テープ、及び／又は接点間にわたりあらゆる導電材料を用いることによって閉じることができる＋／−導電接点などの簡潔な電気接点とすることができる。
【００８６】
例えば、図２１は制御識別感知デバイス４２０及び制御識別保持デバイス４３０の他の実施の形態を示している。この実施の形態では、制御識別感知デバイス４２０は２つの部分に分かれている。第１の部分、即ちベースユニット４２０１は、送信機／受信機（図示せず）及びアンテナ４２８を含む。遠隔ステーション４２０２は、コントローラ４２２、電源４２４、送信機／受信機４２６及びアンテナ４２８を含む。更に、遠隔ステーション４２０２はリンク４３１を介して接触デバイス４３３に接続されている。この例示的な実施の形態では、制御可能オブジェクト識別保持デバイス４３０は電気接点又は電気機械接点４３２を含む。接触デバイス４３３が接点４３２と接触すると、制御可能オブジェクト識別保持デバイス４３０に関連付けられた制御識別がリンク４３１を介して遠隔ステーション４２０２に伝送される。遠隔ステーション４２０２は、コントローラ４２２の指示に基づいて、送信機／受信機４２６及び／又はアンテナ４２８を介して制御識別をベースユニットである制御識別感知デバイス４２０１に転送する。次に、制御識別は前述のプレゼンテーション制御システムに転送される。
【００８７】
例えば、遠隔ステーション４２０２を、ユーザによって装着されるリストバンド又はベルト取り付け可能デバイスとすることができ、接触デバイス４３３を、ユーザの指にはめられるデバイスとすることができる。この例では、制御識別をプレゼンテーション制御システム５０００に転送するために、ユーザの指は制御識別保持デバイス４３０に接触するだけでよい。あるいは、例えば遠隔ステーション４２０２を、接触デバイスが組み込まれたハンドスキャナとすることができる。一般に、遠隔ステーション及び接触デバイスとして、制御識別を識別保持デバイスからプレゼンテーション制御システムに転送することができるあらゆるデバイス、又はこれらのデバイスの組み合わせが可能である。
【００８８】
図２２は、制御識別保持デバイス６４３０の例示的な実施の形態を示している。この実施の形態では、制御識別保持デバイス６４３０は、プレゼンテーションエレメント識別子を表すバーコード６４３４、ニーモニック６４３２、及び制御部６４４０を含む。制御部は、識別メモリ６４４２、送信機／受信機６４４６及びアンテナ６４４８を含む。使用の際、ユーザはこの組み合わされた識別保持デバイス及び制御識別保持デバイスを識別感知デバイス４００の可感領域内に配置する。識別感知デバイス４００はバーコード６４３４を読み取り、プレゼンテーションエレメント識別子を抽出する。そして、プレゼンテーション表示デバイス３００は、例えば「WAN ANIMATION」の最初のフレーム即ちオープニング・スクリーンを表示する。ユーザは、制御識別保持デバイス６４３０に関連付けられた制御可能エレメントがあることを知っているので、例えばニーモニック６４３２に基づいて、いつでも制御可能エレメントを呼び出すことができる。例えば、ユーザは、制御識別保持デバイス６４３０を制御識別感知デバイス４２０の可感領域内に配置することによって「WAN ANIMATION」の再生を始めることができる。この例では、この例示的な制御識別デバイスは常に「オン」であるため、制御識別は制御識別メモリ６４４２から検索され、送信機／受信機６４４６へ、そしてアンテナ６４４８を介して制御識別感知デバイス４２０に伝送される。次に、例えば、制御識別保持デバイス６４３０に関連付けられた制御識別が「WAN ANIMATION」の「再生(play)」に対応していた場合、動画の再生が始まる。
【００８９】
図２３は、他の実施の形態である切り替え可能な識別保持デバイス７４３０を示している。この識別保持デバイス７４３０は、ニーモニック７４３２、制御部７４４０、及び２つの接点７４５２及び７４５４を含む。この実施の形態では、識別保持デバイス７４３０の識別部分である制御部７４４０は、プレゼンテーションエレメント識別子及び制御識別子の双方を有する。識別部分である制御部７４４０は、識別メモリ７４４２、コントローラ７４４４、送信機／受信機７４４６、アンテナ７４４８、電源７４５０、「再生」親指接触部７４５２及び「停止」親指接触部７４５４を含む。この識別保持デバイス７４３０を、図２１に示す２つの部分からなる制御識別感知デバイス４２０に関連させて使用することができる。例えば、親指接触部７４５２及び７４５４を電気接点又は電気機械接点とすることができる。接触デバイス４３３が「再生」親指接触部７４５２に接触すると、プレゼンテーションエレメント識別子及び制御識別子は、コントローラ４２２の指示に基づいて識別メモリ７４４２から接触デバイス４３３及びリンク４３１を介して送信機／受信機４２６に転送される。そして、送信機／受信機４２６は、プレゼンテーションエレメント識別子及び制御識別子をアンテナ４２８を介して制御識別感知デバイス４２０１に送る。あるいは、親指接触部７４５２及び７４５４を、電気スイッチ又は電気機械スイッチとすることができる。親指接触部が作動されると、プレゼンテーションエレメント識別子及び制御識別子はコントローラ７４４４の指示の下で識別メモリ７４４２から送信機／受信機７４４６に転送される。次に、送信機／受信機７４４６はプレゼンテーションエレメント識別子及び制御識別子をアンテナ７４４８を介して制御識別感知デバイス４２０に送る。
【００９０】
電源７４５０は、識別部分７４４０に電力を供給することのできるあらゆる既知の、又は後に開発される電源とすることができる。例えば、電源としては、電池、太陽電池などが可能である。また、その内容が全て本明細書に援用される米国特許第５，５９８，１６２号に開示されるようなパッシブＲＦトランスポンダのように、識別部分７４４０は受動的に電力供給されることが可能である。
【００９１】
更に、親指接触部７４５２及び７４５４としては、ユーザの操作によって「閉じられる」あらゆるタイプのスイッチが可能である。例えば、接触部７４５２及び７４５４としては、光学スイッチ、マイクロスイッチなどが可能である。
【００９２】
図２４は、別の例示的な実施の形態である識別保持デバイス８４３０を示している。識別保持デバイス８４３０は、ニーモニック８４３２、識別部分８４４０、及び抵抗ストリップスイッチである抵抗ストリップ８４５２を含む。先の実施の形態のように、識別部分８４４０は識別メモリ８４４２、コントローラ８４４４、電源８４５０、送信機／受信機８４４６及びアンテナ８４４８を含む。使用の際、ユーザは、例えばユーザの親指を抵抗ストリップ８４５２の一部の上に置く。抵抗ストリップ８４５２の抵抗値は、識別メモリ８４４２に記憶された関連付けられた制御識別を有する。これらの制御識別は、例えば「WAN ANIMATION」の音量に対応する。従って、ユーザが抵抗ストリップ８４５２の一部を横切る、即ち始動させると、その特定の部分に関連付けられた制御識別が制御識別感知デバイス４２０に伝送される。
【００９３】
図２５は、別の実施の形態の識別保持デバイス９４３０を示している。識別保持デバイス９４３０は、バーコード９４３２、ニーモニック９４３４、バーコード９４３６、及び制御ニーモニック９４３８を含む。バーコード９４３２は、識別保持デバイス９４３０に関連付けられたプレゼンテーションエレメント識別子を識別する。バーコード９４３６は、ニーモニック９４３４によって表されるプレゼンテーションエレメントに関連付けられた制御識別を識別する。使用の際、ユーザはこの組み合わされた識別保持デバイス及び制御識別保持デバイスを識別感知デバイス４００の可感領域内に配置する。識別感知デバイス４００はバーコード９４３２を読み取り、プレゼンテーションエレメント識別子を抽出する。次に、プレゼンテーション表示デバイス３００は、例えば「WAN ANIMATION」の最初のフレーム即ちオープニング・スクリーンを表示する。ユーザは識別保持デバイス９４３０に関連付けられた制御可能エレメントがあることを知っているので、例えば制御ニーモニック９４３８に基づいて、いつでも制御可能エレメントを呼び出すことができる。例えば、ユーザは、識別保持デバイス９４３０を制御識別感知デバイス４２０の可感領域内に配置することによって「WAN ANIMATION」の表示を始めることができる。この例では、制御識別はバーコード９４３６と関連付けられているため、ユーザは識別保持デバイス９４３０、詳細にはバーコード９４３６を制御識別感知デバイス４２０の可感領域内に通す。そして、感知された制御識別はプレゼンテーション制御システム５０００に転送される。そして、例えば、識別保持デバイス９４３０に関連付けられた制御識別が「WAN ANIMATION」の「再生」に対応した場合、動画の再生を始める。
【００９４】
図２６は、別の実施の形態である識別保持デバイス１０４３０を示している。この例示的な識別保持デバイス１０４３０は、同一デバイスに関連付けられた２つの制御可能エレメントを有する。識別保持デバイス１０４３０は、バーコード１０４３２、ニーモニック１０４３４、バーコード１０４３６、ニーモニック１０４３８、ニーモニック１０４４０、バーコード１０４４２及びニーモニック１０４４４を含む。バーコード１０４３２は、識別保持デバイス１０４３０に関連付けられたプレゼンテーションエレメント識別子を識別する。バーコード１０４３６は、ニーモニック１０４３４によって表される制御可能エレメントに関連付けられた制御識別を識別する。バーコード１０４４２は、ニーモニック１０４４０によって表される第２の制御可能エレメントに関連付けられた制御識別を識別する。使用の際、ユーザはこの組み合わされた識別保持デバイス及び制御識別保持デバイスを、識別感知デバイス４００の可感領域内に配置する。識別感知デバイス４００はバーコード１０４３２を読み取り、プレゼンテーションエレメント識別子を抽出する。次に、プレゼンテーション表示デバイス３００は、例えば、WANを紹介するオープニングスライドを表示する。ユーザは、識別保持デバイス１０４３０に関連付けられた２つの制御可能エレメントが存在することを知っているため、例えばニーモニック１０４３４及び１０４４０に基づいて、いずれかの制御可能エレメントをいつでも呼び出すことができる。例えば、ユーザは、識別保持デバイス１０４３０を制御識別感知デバイス４２０の可感領域内に配置することによって、「WAN ANIMATION」の表示を始めることができる。この場合、「WAN ANIMATION」の制御識別はバーコード１０４３６に関連付けられているため、ユーザは識別保持デバイス、詳細にはバーコード１０４３６を、制御識別感知デバイス４２０の可感領域に通す。次に、感知された制御識別はプレゼンテーション制御システム５０００に転送される。次に、例えば、識別保持デバイス１０４３０に関連付けられた制御識別が「WAN ANIMATION」の「再生」に対応した場合、動画の再生を始める。更に、例えば、「WAN ANIMATION」の再生中にバーコード１０４３６が制御識別感知デバイス４２０に再び取り込まれた場合、プレゼンテーション制御システムは動画の再生を一時停止させることができる。あるいは、ユーザが「GLOBAL WAN VIDEO」を再生することに決めた場合、ユーザは識別保持デバイス、具体的にはバーコード１０４４２を制御識別感知デバイス４２０の可感領域に通す。感知された制御識別は、次にプレゼンテーション制御システム５０００に転送される。そして、この識別保持デバイスに関連付けられた制御識別が作動される。
【００９５】
前述のように、可触及び可感の識別保持デバイス４１０としては、可触及び可感の識別保持デバイス４１０に含まれるプレゼンテーションエレメント識別子に関連付けられたプレゼンテーションエレメントに関するニーモニックを保持することのできるあらゆるデバイスが可能である。
【００９６】
識別保持デバイスジェネレータ２００及び識別感知デバイス４００はそれぞれプリンタ及びスキャナのように別個の構成要素とすることができ、識別保持デバイスジェネレータ２００及び識別感知デバイス４００は単一のデバイスに組み込んでもよいし又は単一デバイスの異なるアスペクト（態様）としてもよい。
【００９７】
具体的に、識別保持デバイスジェネレータ２００はニーモニック及びプレゼンテーションエレメント識別子を可触及び可感の識別保持デバイスに関連付けるだけでよい。可触及び可感の識別保持デバイス４１０は、識別感知デバイス４００によって読み取り可能であればよい。
【００９８】
識別保持デバイスジェネレータ２００及び識別感知デバイス４００は、下記の組み合わせのいずれでも可能であるが、これらに限定されない。例えば、プリンタ及びスキャナをそれぞれ識別保持デバイスジェネレータ２００及び識別感知デバイス４００として使用することができる。この例示的な実施の形態では、プリンタはニーモニック及び関連プレゼンテーションエレメント識別子をプリント可能媒体、例えばカードストック、ノートのページ、用紙、透明紙などにプリントする。プレゼンテーションエレメント識別子がプリント媒体と共に提供されると、スキャナはプリント媒体からプレゼンテーションエレメント識別子を読み取り、読み取られたプレゼンテーションエレメント識別子をI/Oインターフェース３４００を介してプレゼンテーション制御システム３０００に送る。
【００９９】
あるいは、識別保持デバイスジェネレータ２００及び識別感知デバイス４００はそれぞれバーコード書き込み装置及びバーコード読み取り装置であってもよい。バーコードが可触及び可感の識別エレメント識別子として使用されるこの例示的な実施の形態では、バーコード書き込み装置は、可触及び可感の識別保持デバイス、前述のプリント可能媒体のようなプリント可能媒体、ならびに接着テープ又はステッカーにバーコードを書き込む。次に、このデバイス又は媒体は読み取りのために識別感知デバイス４００の可感領域内に配置される。
【０１００】
可触及び可感の識別保持デバイスはプリント媒体に限定しなくてもよい。あるいは、可触及び可感の識別保持デバイスは、マイクロチップ、又はその機械特性、電気特性又は磁気特性に基づいて情報を保持することのできる他のデバイスなどの物理的なデバイスでもよい。例えば、可触及び可感の識別保持デバイスは超音波送信機、識別感知デバイスは超音波受信機とすることができる。超音波を放出する識別保持デバイスを識別感知デバイスの可感領域内に配置すると、識別感知デバイスは可触及び可感の識別保持デバイスからプレゼンテーションエレメント識別子を読み取る。
【０１０１】
あるいは、可触及び可感の識別保持デバイスは電界又は磁界の維持、伝達又は応答を行うことができる。そして、識別感知デバイスは電磁場を生成し、その中に可触及び可感の識別保持デバイスを配置することができる。可触及び可感の識別保持デバイスが識別感知デバイスの可感領域に配置されると、可触及び可感の識別保持デバイスは容量的、電磁的又は他の場合では電気機械的に識別感知デバイスジェネレータに結合され、情報を可触及び可感の識別保持デバイスから抽出し、特定のプレゼンテーションエレメント識別子に相関させることができる。
【０１０２】
更に、識別保持デバイスジェネレータをチップバーナとし、識別感知デバイスをチップ読み取り装置とすることができる。この実施の形態では、識別保持デバイスジェネレータはプレゼンテーションエレメント識別子を可触及び可感の識別保持デバイス上にプログラムする。チップは、識別感知デバイスの可感領域に配置されると、プレゼンテーション制御システム３０００によって読み取られ、解釈されることができる。
【０１０３】
更に、識別保持デバイスジェネレータは超小型マシン及び超小型電気機械システムを生成することができる。この実施の形態では、識別感知デバイスは超小型マシン及び超小型電気機械システムに含まれる情報を検索するインターフェースであることが可能である。
【０１０４】
要約すると、識別保持デバイスジェネレータ２００及び識別感知デバイス４００はそれぞれ、少なくとも１つのプレゼンテーションエレメント識別子ならびに１つのニーモニックを可触及び可感の識別保持デバイス上に記録することができ、次に可触及び可感の識別保持デバイスがセンサによって読み取られてプレゼンテーションエレメント識別子を検索することができるあらゆるデバイス、又はデバイスの組み合わせが可能である。
【０１０５】
プレゼンテーション表示デバイス３００は、オーバーヘッドプロジェクタ、大型スクリーンのテレビ、ビデオプロジェクタ、又はスライドプロジェクタなど、電子メディア又はマルチメディアを観客に表示することができるあらゆるデバイスが可能である。
【０１０６】
図２７は、本発明に従って、ニーモニック及びプレゼンテーションエレメント識別子をプレゼンテーションエレメントならびに可触及び可感の識別保持デバイスに関連付ける方法の１つの実施の形態を概説するフローチャートである。制御はステップＳ１０００において始まる。ステップＳ２０００において、新しいプレゼンテーションが生成されているか否かを判断する。新しいプレゼンテーションが生成されている場合、制御はステップＳ４０００に移る。ステップＳ４０００において、新しいプレゼンテーションが生成される。制御は次にステップＳ５０００へ続く。新しいプレゼンテーションが生成されていない場合、制御はＳ３０００へ続く。ステップＳ３０００において、所望のプレゼンテーションが入力される。制御は新しいプレゼンテーションが生成されている場合と同様にステップＳ５０００に移る。
【０１０７】
ステップＳ５０００において、プレゼンテーション識別子が、入力されたプレゼンテーションに割り当てられる。次に、ステップＳ６０００において、入力されたプレゼンテーション内の１つのプレゼンテーションエレメントが選択される。次にステップＳ７０００において、プレゼンテーションエレメント識別子が、選択されたプレゼンテーションエレメントに割り当てられる。次に、ステップＳ８０００において、選択されたプレゼンテーションエレメントのニーモニックが選択される。制御は次にステップＳ９０００へ続く。
【０１０８】
ステップＳ９０００において、可触及び可感の識別保持デバイスがニーモニックに関連付けられる。前述のように、これは、ニーモニックをプリント可能な媒体上にプリントすること、ニーモニックの表示をマイクロチップに書き込むこと、ニーモニックを用紙シート又はカードストックにプリントすること、又はプレゼンテーションエレメントを表すニーモニックを物理的な可感識別保持デバイスに関連付けることのできるあらゆる他の方法を含むことができる。次に、ステップＳ１００００において、関連付けられた可触及び可感の識別保持デバイスが割り当てられた識別子、プレゼンテーション及びプレゼンテーションエレメントにリンクされる。次に、ステップＳ１１０００において、選択されたプレゼンテーションの別のプレゼンテーションエレメントが可触及び可感の識別保持デバイスに関連付けられる必要があるか否かを判断する。必要がある場合は、制御はステップＳ６０００に戻る。あるいは、他のエレメントが望まれない場合、制御はステップＳ１２０００へ続く。
【０１０９】
ステップＳ１２０００では、ステップＳ２０００において選択されたプレゼンテーションを異なるプレゼンテーションに変える必要があるか否かを判断する。必要がある場合、制御はステップＳ２０００に戻り、そうでない場合は制御はステップＳ１３０００へ続く。ステップＳ１３０００において、識別子リンクはマッピングデータ構造内に記憶される。制御は次にステップＳ１４０００へ進み、ここで制御シーケンスが終了する。
【０１１０】
図２８は、図２７のプレゼンテーション生成の１つの例示的な実施の形態をより詳しく概説するフローチャートである。制御はステップＳ４０００において始まる。次に、ステップＳ４１００において、プレゼンテーションエレメントの生成を判断する。プレゼンテーションが生成される場合、制御はステップＳ４２００へ続く。ステップＳ４２００において、ユーザはプレゼンテーションエレメントを生成する。制御は次にステップＳ４１００に戻る。
【０１１１】
プレゼンテーションエレメントが生成されない場合、制御はステップＳ４３００に移る。ステップＳ４３００において、定義済みのプレゼンテーションエレメントをプレゼンテーションに追加するか否かを判断する。プレゼンテーションエレメントが追加される場合、制御はステップＳ４４００へ続く。ステップＳ４４００において、定義済みのプレゼンテーションエレメントが入力される。制御は次にステップＳ４１００に戻る。
【０１１２】
プレゼンテーションエレメントが追加されていない場合、制御はステップＳ４５００に移る。ステップＳ４５００において、プレゼンテーション内のプレゼンテーションエレメントが順序づけられる。次に、ステップＳ４６００において、プレゼンテーションがメモリに記憶される。そして、ステップＳ４７００において、制御は図２７のステップＳ５０００に戻る。
【０１１３】
図２９は、図２８のプレゼンテーションエレメント生成ステップの１つの例示的な実施の形態をより詳しく概説するフローチャートである。制御はステップＳ４３００から始まってステップＳ４３０５へ続き、ここで定義済みの画像が使用されるか否かを判断する。定義済みの画像が使用される場合、制御はステップＳ４３１０へ続く。
【０１１４】
ステップＳ４３１０において、定義済みの画像が入力される。次に、ステップＳ４３１５において、画像がプレゼンテーションエレメントに追加される。次に、制御はステップＳ４３２０へ続く。定義済みの画像が使用されていない場合も、制御はステップＳ４３２０に移る。
【０１１５】
ステップＳ４３２０において、新しい画像が使用されるべきか否かを判断する。新しい画像が望まれる場合、制御はステップＳ４３２５へ続く。
【０１１６】
ステップＳ４３２５において、新しい画像が生成される。次に、ステップＳ４３３０において新しい画像がプレゼンテーションエレメントに追加される。次に、制御はステップＳ４３３５へ続く。新しい画像が望まれない場合も、制御はステップＳ４３３５に移る。
【０１１７】
ステップＳ４３３５において、定義済みのテキストのストリングが使用されるか否かを判断する。定義済みのテキストのストリングが望まれる場合、制御はステップＳ４３４０へ続く。
【０１１８】
ステップＳ４３４０において、定義済みのテキストのストリングが入力される。次に、ステップＳ４３４５において、テキストのストリングがプレゼンテーションエレメントに追加される。そして、制御はステップＳ４３５０へ続く。定義済みのテキストのストリングが望まれない場合も、制御はステップＳ４３５０に移る。
【０１１９】
ステップＳ４３５０において、新しいテキストのストリングの使用を決定する。新しいテキストのストリングが望まれる場合、制御はステップＳ４３５５へ続く。
【０１２０】
ステップＳ４３５５において、新しいテキストのストリングが生成される。次に、ステップＳ４３６０において、テキストのストリングがプレゼンテーションエレメントに追加される。そして、制御はステップＳ４３６５へ続く。新しいテキストのストリングが望まれない場合も、制御はステップＳ４３６５に移る。
【０１２１】
ステップＳ４３６５において、定義済みのマルチメディアクリップを使用するか否かを判断する。定義済みのマルチメディアクリップが望まれる場合、制御はステップＳ４３７０へ続く。
【０１２２】
ステップＳ４３７０において、定義済みのマルチメディアクリップが入力される。次に、ステップＳ４３７５において、マルチメディアクリップがプレゼンテーションエレメントに追加される。次に、制御はステップＳ４３８０へ続く。定義済みのマルチメディアクリップが望まれない場合も、制御はステップＳ４３８０に移る。
【０１２３】
ステップＳ４３８０において、新しいマルチメディアクリップが望まれるか否かを判断する。新しいマルチメディアクリップが望まれる場合、制御はステップＳ４３８５へ続く。
【０１２４】
ステップＳ４３８５において、新しいマルチメディアクリップが生成される。次に、ステップＳ４３９０において、マルチメディアクリップがプレゼンテーションエレメントに追加される。次に、制御はステップＳ４３９５へ続く。新しいマルチメディアクリップが望まれない場合も、制御はステップＳ４３９５に移る。
【０１２５】
ステップＳ４３９５において、更なるプリミティブがプレゼンテーションエレメントに追加されるか否かを判断する。更なるプリミティブが望まれる場合、制御はステップＳ４３０５に戻る。そうでない場合、制御はステップＳ４３９９へ続く。ステップＳ４３９９において、制御は図２８のステップＳ４４００に戻る。
【０１２６】
図３０は、本発明のプレゼンテーションシステムの動作を示している。制御はステップＳ１００において始まる。次に、ステップＳ１１０において、どのプレゼンテーションエレメントを提示するかを判断する。次に、ステップＳ１２０において、選択されたプレゼンテーションエレメントに関連付けられたニーモニックが選択される。次にステップＳ１３０において、可触及び可感の識別保持デバイスが識別感知デバイスの可感スペース内に配置される。制御は次にステップＳ１４０へ続く。
【０１２７】
ステップＳ１４０において、選択されたプレゼンテーションエレメントのニーモニックに関連付けられた可触及び可感の識別保持デバイスが感知される。次に、ステップＳ１５０において、感知された可触及び可感の識別保持デバイスによって識別されたプレゼンテーション及びプレゼンテーションエレメントが決定される。次にステップＳ１６０において、識別されたプレゼンテーションが利用可能であるか否かを判断する。識別されたプレゼンテーションが利用可能である場合、制御はステップＳ１８０に移る。そうでない場合、制御はステップＳ１７０へ続く。
【０１２８】
ステップＳ１７０において、識別されたプレゼンテーションがロードされ、マッピング構造が更新される。制御は次にステップＳ１８０へ続く。
【０１２９】
ステップＳ１８０において、決定されたプレゼンテーションエレメントを提示するために信号がプレゼンテーションコントローラに出力される。制御は次にステップＳ１９０へ続く。
【０１３０】
ステップＳ１９０において、決定されたプレゼンテーションエレメントが提示される。一般に、可触及び可感の識別保持デバイスに関するあらゆる情報は、可触及び可感の識別保持デバイスがプレゼンテーションエレメント内になければ、プレゼンテーションエレメントと共に表示されないことを理解すべきである。しかし、プレゼンテーションエレメント識別子及び／又はニーモニックなどの情報も表示される例がありうることを理解すべきである。次に、ステップＳ２００において、別のプレゼンテーションエレメントが表示されるべきか否かを判断する。別のプレゼンテーションエレメントが表示されるべきでない場合、制御はステップＳ２１０へ続く。
【０１３１】
ステップＳ２１０において、プレゼンテーションを終了するか否かを判断する。プレゼンテーションの終了が望まれない場合、制御はステップＳ２００に戻る。プレゼンテーションの終了が望まれる場合、制御はステップＳ２２０へ続き、ここで制御シーケンスが終了する。別のプレゼンテーションエレメントが表示されるべきである場合は、制御はステップＳ１１０に戻る。
【０１３２】
図３１は、プレゼンテーション制御環境において制御識別子を制御可能エレメントに関連付ける方法の１つの例示的な実施の形態を概説するフローチャートである。制御はステップＡ１００において始まってステップＡ２００へ続き、ここで新しいプレゼンテーションが生成されるか否かを判断する。新しいプレゼンテーションが生成される場合、制御はステップＡ３００へ続く。ステップＡ３００において、プレゼンテーションが前述のように生成される。次に、制御はステップＡ５００に移る。新しいプレゼンテーションが生成されない場合は、制御はステップＡ４００に移る。対照的に、ステップＡ４００ではプレゼンテーションがメモリからロードされる。次に、制御はステップＡ５００へ続く。
【０１３３】
ステップＡ５００において、識別子がプレゼンテーションに割り当てられる。そして、ステップＡ６００において、プレゼンテーションエレメントが選択される。次に、ステップＡ７００において、選択されたプレゼンテーションエレメントに識別子が割り当てられる。次に、制御はステップＡ８００へ続く。
【０１３４】
ステップＡ８００において、制御可能エレメントが、選択されたプレゼンテーションエレメント内に存在するか否かを判断する。制御可能エレメントが存在する場合、制御はステップＡ９００へ続く。ステップＡ９００において、制御可能エレメントは制御機能及び選択されたプレゼンテーションエレメントに関連付けられる。次に、制御はステップＡ１０００へ続く。制御可能エレメントが存在しない場合も、制御はステップＡ１０００に移る。
【０１３５】
ステップＡ１０００において、選択されたプレゼンテーションエレメントのニーモニックが選択される。次に、ステップＡ１１００において、可触及び可感の識別保持デバイスがニーモニックに関連付けられる。そして、ステップＡ１２００において、割り当てられた識別子は、関連付けられた可触及び可感の識別保持デバイスにリンクされる。
【０１３６】
ステップＡ１３００において、別のプレゼンテーションエレメントを追加するか否かを判断する。別のプレゼンテーションエレメントが望まれる場合、制御はステップＡ６００に戻る。別のプレゼンテーションエレメントが望まれない場合、制御はステップＡ１４００へ続く。ステップＡ１４００において、別のプレゼンテーションに変えるか否かを判断する。別のプレゼンテーションが望まれる場合、制御はステップＡ２００に戻り、別のプレゼンテーションが望まれない場合、制御はステップＡ１５００へ続く。
【０１３７】
ステップＡ１５００において、識別子及びリンクはマッピングデータ構造内に記憶される。次に制御はステップＡ１６００へ続き、ここで制御シーケンスが終了する。
【０１３８】
図３２は、図３１のステップＡ９００に示される制御エレメントを関連付ける方法の１つの実施の形態をより詳しく示すフローチャートである。制御はステップＡ９００において始まってステップＡ９０５へ続き、ここで、選択された制御可能エレメントに識別子が割り当てられる。次に、ステップＡ９１０において、この制御可能エレメントに関連付けられる制御機能が決定される。そして、ステップＡ９１５において、選択された制御可能エレメントに対して利用可能な制御機能が表示される。次に、制御はステップＡ９２０へ続く。
【０１３９】
ステップＡ９２０において、カスタム制御機能が望まれるか否かを判断する。カスタム制御機能が望まれる場合、制御はステップＡ９２５へ続く。ステップＡ９２５において、カスタム制御機能が選択され、及び／又は入力され、制御はステップＡ９３５へ続く。カスタム制御機能が望まれない場合、制御はステップＡ９３０に移る。ステップＡ９３０において、制御機能選択物が受け取られる。次に、制御はステップＡ９３５へ続く。
【０１４０】
ステップＡ９３５において、制御機能及び制御可能エレメントがリンクされる。次に、ステップＡ９４０において、選択された制御可能エレメントのニーモニックが選択される。そして、ステップＡ９４５において、可触及び可感の識別保持デバイスが、選択されたニーモニックに関連付けられる。そして、制御はステップＡ９５０へ続く。
【０１４１】
ステップＡ９５０において、割り当てられた識別子が、関連付けられた可触及び可感の識別保持デバイスにリンクされる。次に、ステップＡ９５５において、追加の制御機能が選択された制御可能エレメントに関連付けられるか否かを判断する。追加の制御機能が選択された制御可能エレメントに関連付けられる場合、制御はステップＡ９１５に戻る。追加の制御機能が選択された制御可能エレメントに関連付けられない場合、制御はステップＡ９６０へ続く。
【０１４２】
ステップＡ９６０において、選択されたプレゼンテーションエレメント内に追加の制御可能エレメントが存在するか否かを判断する。選択されたプレゼンテーションエレメント内に追加の制御可能エレメントが存在する場合、制御はステップＡ９０５に戻る。選択されたプレゼンテーションエレメント内に追加の制御可能エレメントが存在しない場合、制御はステップＡ９６５へ続き、ここで制御シーケンスはステップＡ１０００に戻る。
【０１４３】
図３３は、本発明に従って制御可能エレメントを有するプレゼンテーションシステムを操作する方法の１つの例示的な実施の形態を概説するフローチャートである。制御はステップＡ２０００において始まってステップＡ２１００へ続き、ここで、提示されるプレゼンテーションが決定される。次に、ステップＡ２２００において、選択されたプレゼンテーションエレメントに関連付けられるニーモニックが選択される。そして、ステップＡ２３００において、可触及び可感の識別保持デバイスが識別感知デバイスの可感領域内に配置される。次に制御はステップＡ２４００へ続く。
【０１４４】
ステップＡ２４００において、選択されたプレゼンテーションエレメントのニーモニックに関連付けられた可触及び可感の識別保持デバイスが感知される。次に、ステップＡ２５００において、感知された可触及び可感の識別保持デバイスによって識別されるプレゼンテーション及びプレゼンテーションエレメントが決定される。そして、ステップＡ２６００では、識別されたプレゼンテーションが利用可能であるか否かを判断する。識別されたプレゼンテーションが利用できない場合、制御はステップＡ２７００へ続く。ステップＡ２７００において、識別されたプレゼンテーションがロードされ、マッピングデータ構造が更新される。次に、制御はステップＡ２８００へ続く。識別されたプレゼンテーションが利用可能である場合、制御は直接ステップＡ２８００に移る。
【０１４５】
ステップＡ２８００において、制御可能エレメントが選択されたプレゼンテーションエレメント内に存在するか否かを判断する。制御可能エレメントが存在する場合、制御はステップＡ２９００へ続く。ステップＡ２９００において、制御可能エレメントの関連データベースがロードされる。次に、制御はステップＡ３０００へ続く。制御可能エレメントが存在しない場合も、制御は直接ステップＡ３０００に移る。ステップＡ３０００において、決定されたプレゼンテーションエレメントを提示するために信号がプレゼンテーションコントローラに出力される。次に、制御はステップＡ３１００へ続く。
【０１４６】
ステップＡ３１００において、決定されたプレゼンテーションエレメントが提示される。一般に、可触及び可感の識別保持デバイスに関するあらゆる情報は、可触及び可感の識別保持デバイスがプレゼンテーションエレメント内になければプレゼンテーションエレメントと共に表示されないことを理解すべきである。しかし、プレゼンテーションエレメント識別子及び／又はニーモニックなどの情報が表示される例もありうることを理解すべきである。
【０１４７】
ステップＡ３２００において、制御可能エレメントに関連付けられた可触及び可感の識別保持デバイスが感知されたか否かを判断する。制御エレメントが感知された場合、制御はステップＡ３３００へ続く。ステップＡ３３００において、制御エレメントに関連する制御機能が起動される。次に、制御はステップＡ３２００に戻る。
【０１４８】
制御エレメントが感知されない場合、制御はステップＡ３４００に移る。ステップＡ３４００において、別のプレゼンテーションエレメントが表示されるべきか否かを判断する。別のプレゼンテーションエレメントが表示されるべきである場合は、制御はステップＡ２１００に戻る。別のプレゼンテーションエレメントが表示されるべきでない場合、制御はステップＡ３５００へ続く。
【０１４９】
ステップＡ３５００において、プレゼンテーションを終了させるか否かを判断する。プレゼンテーションの終了が望まれない場合、制御はステップＡ３４００に戻る。プレゼンテーションの終了が望まれる場合、制御はステップＡ３６００へ続き、ここで制御シーケンスが終了する。
【０１５０】
図３４は、本発明に従った、制御可能エレメントを制御可能エレメント感知デバイスに取り込むことによってプレゼンテーションシステムを操作する方法の１つの例示的な実施の形態を概説するフローチャートである。制御はステップＡ４０００において始まってＡ４１００へ続き、ここで、提示する特定のプレゼンテーションエレメントの制御機能に関する決定を行う。次に、ステップＡ４２００において、プレゼンテーションエレメントの選択された制御機能に関連付けられるニーモニックが選択される。そして、ステップＡ４３００において、可触及び可感の識別保持デバイスが制御可能エレメント感知デバイスの可感スペース内に配置される。制御は次にステップＡ４４００へ続く。
【０１５１】
ステップＡ４４００において、選択された制御機能のニーモニックに関連付けられた可触及び可感の識別保持デバイスが感知される。次に、ステップＡ４５００において、感知された可触及び可感の識別保持デバイスによって識別されたプレゼンテーション及びプレゼンテーションエレメントが決定される。そして、ステップＡ４６００において、識別されたプレゼンテーションが利用可能か否かを判断する。識別されたプレゼンテーションが利用可能でない場合、制御はステップＡ４７００へ続く。ステップＡ４７００では、識別されたプレゼンテーションがロードされ、マッピングデータ構造が更新される。次に、制御はステップＡ４８００へ続く。識別されたプレゼンテーションが利用可能である場合、制御は直接ステップＡ４８００に移る。
【０１５２】
ステップＡ４８００において、選択されたプレゼンテーションエレメント内に制御可能エレメントが存在するか否かを判断する。制御可能エレメントが存在する場合、制御はステップＡ４９００へ続く。ステップＡ４９００において、制御可能エレメントの関連データベースがロードされる。次に、制御はステップＡ５０００へ続く。制御可能エレメントが存在しない場合も、制御は直接ステップＡ５０００に移る。ステップＡ５０００において、決定されたプレゼンテーションエレメントを提示するために信号がプレゼンテーションコントローラに出力される。次に、制御はステップＡ５１００へ続く。
【０１５３】
ステップＡ５１００において、決定されたプレゼンテーションエレメントが提示される。一般に、可触及び可感の識別保持デバイスに関するあらゆる情報は、可触及び可感の識別保持デバイスがプレゼンテーションエレメント内になければプレゼンテーションエレメントと共に表示されることはないことを理解すべきである。しかし、プレゼンテーションエレメント識別子及び／又はニーモニックなどの情報が表示される例もありうることを理解すべきである。
【０１５４】
ステップＡ５２００において、制御可能エレメントに関連付けられた可触及び可感の識別保持デバイスが感知されたか否かを判断する。制御可能エレメントが感知された場合、制御はステップＡ５３００へ続く。ステップＡ５３００において、制御可能エレメントに関連付けられた制御機能が起動される。次に、制御はステップＡ５２００に戻る。制御可能エレメントが感知されない場合、制御はステップＡ５４００に移る。
【０１５５】
ステップＡ５４００において、別のプレゼンテーションエレメントが表示されるべきか否かを判断する。別のプレゼンテーションエレメントが表示されるべきでない場合、制御はステップＡ５５００へ続く。そうでない場合、即ち別のプレゼンテーションエレメントが表示されるべきである場合、制御はステップＡ４１００に戻る。
【０１５６】
ステップＡ５５００において、プレゼンテーションを終了するか否かを判断する。プレゼンテーションの終了が望まれない場合、制御はステップＡ５４００に戻る。プレゼンテーションの終了が望まれる場合、制御はステップＡ５６００へ続き、ここで制御シーケンスが終了する。
【０１５７】
図１〜図３及び図１９〜図２１に示されるように、プレゼンテーションシステムは、関連する可触及び可感の識別保持デバイスを用いて、単一のプログラム汎用コンピュータ又は別個の複数のプログラム汎用コンピュータにおいて実施されるのが好ましい。しかし、プレゼンテーションシステムは、専用コンピュータ、プログラムされたマイクロプロセッサ又はマイクロコントローラ及び周辺集積回路素子、及びＡＳＩＣ又は他の集積回路、デジタル信号プロセッサ、離散素子回路などのハードワイヤード電子回路又は論理回路、ＰＬＤ、ＰＬＡ、ＦＰＧＡ又はＰＡＬのようなプログラマブル論理デバイスなどにおいて実施することもできる。一般に、図１９〜図２２及び図２７〜図３４に示されるようなフローチャートを実施することができる有限状態マシンを実施することのできるデバイスは全て、プレゼンテーションシステムの実施に使用可能である。
【０１５８】
リンク４３１、１０１０、２０１０及び３０１０は、ワイヤードもしくはワイヤレスリンクとすることができ、又は、接続された要素にもしくは接続された要素から電子データを供給することができるあらゆる既知の要素が可能である。
【０１５９】
本発明の、物理的オブジェクトを用いてプレゼンテーションを制御するシステムは、Ｗｉｎｄｏｗｓ（登録商標） ９５／ＮＴの下で動作する２つのプログラムとして実施されたが、これに匹敵する動作システムを使用することができる。一方のプログラム、即ちコンバータは、図２に示される識別保持デバイス生成システムと、図１９の識別デバイス生成ステップＳ５００〜Ｓ１３０００を実施する。第２のプログラム、即ちコントローラは、図３に示されるプレゼンテーション制御システム及び図２７に示されるプレゼンテーション制御方法を実施する。プレゼンテーションを開始する前に、コンバータを使用してプレゼンテーションからカードを生成する。コントローラはプレゼンテーションの際に動作する。コントローラは、プリントされたカード上のコードからのスキャナ入力を受け入れ、プレゼンテーションソフトウェアが適切な電子スライドを表示するように機能する。
【０１６０】
コンバータは、プレゼンテーションオーサリングソフトウェア、例えばマイクロソフト社（Microsoft(登録商標名))のPOWERPOINT（登録商標名）によって生成されたファイルを読み取る独立型プログラムであり、カードストックへのプリントに適切なレイアウトでプレゼンテーションの内容を含む MICROSOFT WORD（登録商標名）などの文書を生成する。各カードは１つのスライドの内容を表し、最大４つのエレメントを含む。即ち、スライド画像のサムネイル画像、コンバータに入力されるプリントされたスピーチメモ、プレゼンテーションファイルのシーケンスにおけるスライド番号、ならびにプレゼンテーションファイル及び対応するスライドのスライド番号を示すバーコードなどのコンピュータ読み取り可能識別コードである。
【０１６１】
コンバータは、画像がカードストック上にきちんと読み取り可能に収まるように、これらのエレメントのサイズを直し、出力文書に配置する。多数の異なるレイアウトが利用可能である。また、コンバータはファイル名をカード識別コードと一致させてプレゼンテーションのコピーを中央位置に保存し、その動作を中央ログに記録する。コンバータは、VISUAL BASICプリミティブを用いて VISUAL BASIC FOR APPLICATIONS (VBA)において実施され、POWERPOINTプレゼンテーションからエレメントを抽出し、これらをWORDにおいて操作する。コンバータが動作した後、プリントされたカードを使用し、コントローラを介してプレゼンテーションを制御することができる。コンバータは、各スライド内の POWERPOINT制御可能オブジェクトにアクセスするためにVISUAL BASIC FOR APPLICATIONS (VBA)方式を用いる。例えばメディアクリップ、動画シーケンスなどの各制御エレメント毎に、VBAはエレメントのスクリーン位置及び制御可能オブジェクトのタイプを記録する。
【０１６２】
コントローラは、クライアント−サーバ構造を有する。クライアント側は、バーコード読み取り装置からの入力を受け入れる。サーバ側はコマンドを実行してPOWERPOINTプレゼンテーションを作動させる。
【０１６３】
クライアントは、VISUAL BASICで実施される。クライアントは遠隔で実行し、TCPネットワークインターフェースを介してサーバのPCと通信する。クライアントは、クライアントのPCのキーボードポート又はシリアル入力（RS232C)ポートに取り付けられたバーコード読み取り装置からのデータを入力する。バーコード読み取り装置からの入力には、POWERPOINTファイルのファイル名、スライド番号、又は、例えば複数のスライドを１つの複合スライドに併合する、スライドの背景カラーを変える、もしくはプレゼンテーションを停止する、といった特別な制御コマンドが含まれる。クライアントはバーコード読み取り装置からの入力をプレゼンテーション−制御コマンドに変換し、これらをサーバに送る。
【０１６４】
クライアントが、制御識別保持デバイスに添付された制御可能オブジェクトに関連する動作を行うための入力をバーコード読み取り装置又はマイクロデバイスから受け取った場合、クライアントはコンバータによって記録されたスクリーン位置にマウスイベントを生じる。これによって POWERPOINTは制御可能オブジェクトに、例えば動画の進行、ビデオの再生及び／又は一時停止などの適切な動作を行わせることができる。全ての制御可能表示オブジェクトが直接マイクロソフト社の APPLICATION PROGRAMMING INTERFACE (API)を介して到達可能である場合、このアプローチは不要であり、その場合、適切な APIの呼出しが行われる。
【０１６５】
サーバはVBAで実施される。サーバはPCにおいて実行し、同一のPCにおいて実行するPOWERPOINTアプリケーションを制御する。サーバのPCからのビデオモニタ出力はプレゼンテーションデバイスに送られる。サーバは、クライアントからのネットワーク接続を待つ。クライアントが接続すると、クライアントはプレゼンテーション制御依頼をサーバに送る。VISUAL BASICプリミティブにより、サーバはPOWERPOINTプレゼンテーションを制御することができる。例えばサーバは、指定されたPOWERPOINTプレゼンテーションファイルをロードしたり、指定されたスライドに移動したり、次のスライド又は前のスライドに移ったり、POWERPOINTスライドショーを停止させたりなどするようにプレゼンテーションに指示することができる。
【０１６６】
本発明のシステムをプレゼンテーション環境に関連させて説明したが、例えばワードプロセッシングプログラム、イントラネット又はインターネットブラウザ、スプレッドシート、自動製図 (CAD)プログラム、コンピュータ支援製造 (CAM)プログラム、決定支援システム、一般的なシミュレーション環境など、プレゼンテーションエレメント及び／又は制御可能エレメントを含むあらゆるプログラムにこれらの技術を適用することができることを理解すべきである。
【０１６７】
一般に、制御識別保持デバイスによって制御されうるエレメントは、これらに制限されないが、静止スライド画像などの簡潔な表示可能エレメントと、例えばオーディオクリップ、ビデオクリップ、動画シーケンス、及びマルチメディアクリップなどのマルチメディアエレメントと、追加のパラメータの利用が可能又は不可能である個々に実行可能なプログラムシーケンスにリンクするエレメントとを含む、デバイスの働きを変更することのできるエレメントである。個々に実行可能なプログラムシーケンスにリンクするエレメントの例としては、アクティブエックス (ActiveX)構成要素、オペレーティングシステムの呼出し、例えばマクロ、スクリプト言語、及びアプレットなどのプレゼンテーションアプリケーション内のプログラミングコードの呼出し、例えばダイナミックリンクライブラリ構成要素などのプレゼンテーションアプリケーションから独立したプログラムの呼出し、及び、例えばプリンタ、スキャナ、カメラ、周辺又はプロセス制御デバイスなどの入力／出力デバイスのドライバである。
【０１６８】
更に、制御識別保持デバイスを使用する識別制御デバイスにダイナミックシミュレーションのパラメータ値を関連付けて、what-if分析、監査分析、傾向予測などのためのシミュレーションの実行及び／又は表示を行うこともできる。
【０１６９】
従って、ユーザが電子メディアを観客に提示するのを支援する方法及び装置が本発明に従って提供されたことが明らかである。本発明はその好適な実施の形態に関連して説明されたが、多くの代替物、変更物及び変形物が当業者には明らかであることが明白である。従って、本発明の出願人は、本発明の趣意及び範囲内に従うようにこれらの代替物、変更物又は変形物を全て含むものと意図する。
【図面の簡単な説明】
【図１】本発明のプレゼンテーション制御システムの第１の実施の形態を示す機能ブロック図である。
【図２】本発明のプレゼンテーション制御システムの第２の態様を示す機能ブロック図である。
【図３】本発明のプレゼンテーション制御システムの第３の態様を示す機能ブロック図である。
【図４】第１の例示的な識別保持デバイスを示す図である。
【図５】図４に示される第１の識別保持デバイスの例示的な裏面を示す図である。
【図６】第２の例示的な識別保持デバイスを示す図である。
【図７】第３の例示的な識別保持デバイスを示す図である。
【図８】図７に示される第３の識別保持デバイスの例示的な裏面を示す図である。
【図９】第４の例示的な識別保持デバイスを示す図である。
【図１０】図９に示される第４の識別保持デバイスの例示的な裏面を示す図である。
【図１１】第５の例示的な識別保持デバイスを示す図である。
【図１２】図１１に示される第５の識別保持デバイスの例示的な裏面を示す図である。
【図１３】例示的な機能的識別保持デバイスを示す図である。
【図１４】例示的な機能的識別保持デバイスを示す図である。
【図１５】例示的な機能的識別保持デバイスを示す図である。
【図１６】例示的な機能的識別保持デバイスを示す図である。
【図１７】例示的な機能的識別保持デバイスを示す図である。
【図１８】例示的な機能的識別保持デバイスを示す図である。
【図１９】本発明のプレゼンテーション制御システムの第４の態様を示す機能ブロック図である。
【図２０】本発明のプレゼンテーション制御システムの第５の態様を示す機能ブロック図である。
【図２１】本発明のプレゼンテーション制御システムの第６の態様を示す図である。
【図２２】第６の例示的な識別保持デバイスを示す図である。
【図２３】第７の例示的な識別保持デバイスを示す図である。
【図２４】第８の例示的な識別保持デバイスを示す図である。
【図２５】第７の例示的な識別保持デバイスを示す図である。
【図２６】第８の例示的な識別保持デバイスを示す図である。
【図２７】本発明のニーモニックをプレゼンテーションエレメントに関連付ける方法の１つの実施の形態を概説するフローチャートである。
【図２８】本発明のプレゼンテーションを生成する１つの方法を概説するフローチャートである。
【図２９】図２５のプレゼンテーションエレメントを生成する１つの例示的な方法を概説するフローチャートである。
【図３０】本発明のプレゼンテーションシステムの動作を制御する１つの方法を概説するフローチャートである。
【図３１】図画オブジェクト及び制御可能オブジェクトを関連付ける方法の１つの実施の形態を概説するフローチャートである。
【図３２】図２９の実行関連ステップをより詳細に概説するフローチャートである。
【図３３】本発明のプレゼンテーションシステムの動作を制御する１つの例示的な方法を概説するフローチャートである。
【図３４】本発明のプレゼンテーションシステムの動作を制御する１つの方法を概説するフローチャートである。
【符号の説明】
５    汎用コンピュータ
２００    識別保持デバイスジェネレータ
２１０    制御識別保持デバイスジェネレータ
３００    プレゼンテーション表示デバイス
４００    識別感知デバイス
４１０    識別保持デバイス
４２０    制御識別感知デバイス
４３０    制御識別保持デバイス
４０００、５０００    プレゼンテーション制御システム
４０１０、５０１０    リンク
４１００、５１００    コントローラ
４２００、５２００    メモリ
４２１０、５２１０    プレゼンテーションメモリ部分
４２２０、４２３０、４２４０、４２５０、４２６０、５２２０、５２３０、５２４０、５２５０、５２６０    プレゼンテーションエレメント
４２４２、４２６２、５２４２、５２６２    制御エレメント
４２７０、５２７０    プレゼンテーションエレメント識別子メモリ部分
４２７２、４２７４、４２７６、４２７８、４２８０、５２７２、５２７４、５２７６、５２７８、５２８０    プレゼンテーションエレメント識別子
４２９０、５２９０    制御識別記憶部分
４２９２、４２９４    制御エレメント識別
４３００、５３００    識別コントローラ
４４００、５４００    I/Oインターフェース
５５００    プレゼンテーションコントローラ
【図１】
0004003372.tif 000002
【図２】
0004003372.tif 000003
【図３】
0004003372.tif 000004
【図４】
0004003372.tif 000005
【図５】
0004003372.tif 000006
【図６】
0004003372.tif 000007
【図７】
0004003372.tif 000008
【図８】
0004003372.tif 000009
【図９】
0004003372.tif 000010
【図１０】
0004003372.tif 000011
【図１１】
0004003372.tif 000012
【図１２】
0004003372.tif 000013
【図１３】
0004003372.tif 000014
【図１４】
0004003372.tif 000015
【図１５】
0004003372.tif 000016
【図１６】
0004003372.tif 000017
【図１７】
0004003372.tif 000018
【図１８】
0004003372.tif 000019
【図１９】
0004003372.tif 000020
【図２０】
0004003372.tif 000021
【図２１】
0004003372.tif 000022
【図２２】
0004003372.tif 000023
【図２３】
0004003372.tif 000024
【図２４】
0004003372.tif 000025
【図２５】
0004003372.tif 000026
【図２６】
0004003372.tif 000027
【図２７】
0004003372.tif 000028
【図２８】
0004003372.tif 000029
【図２９】
0004003372.tif 000030
【図３０】
0004003372.tif 000031
【図３１】
0004003372.tif 000032
【図３２】
0004003372.tif 000033
【図３３】
0004003372.tif 000034
【図３４】
0004003372.tif 000035